(57)【要約】ワイヤレス通信のための方法、装置、およびコンピュータ可読媒体が提供される。一態様では、装置は、データフィールドにおけるシンボルの数を決定するように構成される。装置は、シンボルの決定された数に基づいて、エンコーダのセットにおけるエンコーダのサブセット中の各エンコーダに第１の数のデータビットを分配するように構成される。装置は、シンボルの決定された数に基づいて、エンコーダのセットにおける最後のエンコーダに第２の数のデータビットを分配するように構成される。装置は、第２のワイヤレスデバイスにデータを送信するように構成される。データは、分配された第１および第２の数のデータビットに基づいて符号化される。【選択図】  図４
2017538324.tif 000002
【特許請求の範囲】
【請求項１】
ワイヤレスデバイスによるワイヤレス通信の方法であって、
データフィールドにおけるシンボルの数を決定することと、
シンボルの前記決定された数に基づいて、エンコーダのセットにおけるエンコーダのサブセット中の各エンコーダに第１の数のデータビットを分配することと、
シンボルの前記決定された数に基づいて、エンコーダの前記セットにおける最後のエンコーダに第２の数のデータビットを分配することと、
第２のワイヤレスデバイスにデータを送信すること、ここにおいて、前記データは、エンコーダの前記サブセットにおける各エンコーダへの前記分配された第１の数のデータビットおよびエンコーダの前記セットにおける前記最後のエンコーダへの前記分配された第２の数のデータビットに基づいて符号化される、
を備える、方法。
【請求項２】
シンボルの前記数は、前記ワイヤレスデバイスに割り振られたリソースブロックの総数に基づいて決定される、請求項１に記載の方法。
【請求項３】
前記第１の数のデータビットを前記分配することは、
エンコーダの前記サブセットにおける各エンコーダに分配すべき前記第１の数のデータビットを決定することと、
エンコーダの前記サブセットにおける各エンコーダに前記第１の数のデータビットを提供することと、
を備える、請求項１に記載の方法。
【請求項４】
前記第１の数のデータビットは、エンコーダごとのデータレート、単一のサブキャリアごとのビットの数、データシンボル持続時間、または変調およびコーディングスキームレートのうちの少なくとも１つに基づいて決定される、請求項３に記載の方法。
【請求項５】
前記第２の数のデータビットを前記分配することは、
エンコーダの前記セットにおける前記最後のエンコーダに分配すべきデータビットの前記第２の数を決定することと、
エンコーダの前記セットにおける前記最後のエンコーダに前記第２の数のデータビットを提供することと、
を備える、請求項１に記載の方法。
【請求項６】
データビットの前記第２の数を前記決定することは、
データビットの総数を決定することと、
エンコーダの前記サブセットに分配されたペイロードビットの総数を決定することと、
テイルビットの第１の数を決定することと、
データビットの前記総数から、ペイロードビットの前記決定された総数、テイルビットの前記第１の数、およびテイルビットの第２の数を減算することと、
を備える、請求項５に記載の方法。
【請求項７】
不均等な数のビットは、ワイヤレスローカルエリアネットワーク（ＷＬＡＮ）において前記データを送信するためのエンコーダの前記セット内で分配される、請求項１に記載の方法。
【請求項８】
エンコーダの前記サブセットにおける各エンコーダに分配されたデータビットの前記第１の数および前記最後のエンコーダに分配されたデータビットの前記第２の数は、異なる、請求項１に記載の方法。
【請求項９】
前記データは、結果としてシンボルごとに整数の数のデータビットをもたらす変調およびコーディングスキーム（ＭＣＳ）レートを使用して送信される、請求項１に記載の方法。
【請求項１０】
ワイヤレス通信のための装置であって、
メモリと、
前記メモリに結合された少なくとも１つのプロセッサとを備え、前記少なくとも１つのプロセッサは、
データフィールドにおけるシンボルの数を決定し、
シンボルの前記決定された数に基づいて、複数のエンコーダの第１のエンコーダに第１の数のデータビットを分配し、
シンボルの前記決定された数に基づいて、前記複数のエンコーダの第２のエンコーダに前記第１の数のデータビットを分配し、
シンボルの前記決定された数に基づいて、前記複数のエンコーダの最後のエンコーダに第２の数のデータビットを分配し、
ワイヤレスデバイスにデータを送信する、ここにおいて前記データは、前記第１および第２のエンコーダへの前記分配された第１の数のデータビット、および前記最後のエンコーダへの前記分配された第２の数のデータビットに基づいて符号化される、
ように構成される、装置。
【請求項１１】
シンボルの前記数は、前記装置に割り振られたリソースブロックの総数に基づいて決定される、請求項１０に記載の装置。
【請求項１２】
前記少なくとも１つのプロセッサは、
前記第１のエンコーダおよび前記第２のエンコーダに分配すべきデータビットの前記第１の数を決定することと、
前記第１のエンコーダおよび前記第２のエンコーダに前記第１の数のデータビットを提供することと、
によって、前記第１の数のデータビットを分配する、請求項１０に記載の装置。
【請求項１３】
データビットの前記第１の数は、エンコーダごとのデータレート、単一のサブキャリアごとのビットの数、データシンボル持続時間、または変調およびコーディングスキームレートのうちの少なくとも１つに基づいて決定される、請求項１２に記載の装置。
【請求項１４】
前記少なくとも１つのプロセッサは、
前記最後のエンコーダに分配すべきデータビットの前記第２の数を決定することと、
前記最後のエンコーダに前記第２の数のデータビットを提供することと、
によって、前記第２の数のデータビットを分配するように構成される、請求項１０に記載の装置。
【請求項１５】
データビットの前記第２の数を決定するために、前記少なくとも１つのプロセッサは、
データビットの総数を決定し、
前記第１および前記第２のエンコーダに分配されるペイロードビットの総数を決定し、
テイルビットの第１の数を決定し、
データビットの前記総数から、ペイロードビットの前記決定された総数、テイルビットの前記第１の数、およびテイルビットの第２の数を減算する、
ように構成される、請求項１４に記載の装置。
【請求項１６】
ワイヤレス通信のための装置であって、
メモリと、
前記メモリに結合された少なくとも１つのプロセッサとを備え、前記少なくとも１つのプロセッサは、
データフィールドにおけるシンボルの数を決定し、
シンボルの前記決定された数に基づいて、エンコーダのセットにおけるエンコーダのサブセット中の各エンコーダに第１の数のデータビットを分配し、
シンボルの前記決定された数に基づいて、エンコーダの前記セットにおける最後のエンコーダに第２の数のデータビットを分配し、
ワイヤレスデバイスにデータを送信する、ここにおいて前記データは、エンコーダの前記サブセットにおける各エンコーダへの前記分配された第１の数のデータビット、およびエンコーダの前記セットにおける前記最後のエンコーダへの前記分配される第２の数のデータビットに基づいて符号化される、
ように構成される、装置。
【請求項１７】
シンボルの前記数は、前記装置に割り振られたリソースブロックの総数に基づいて決定される、請求項１６に記載の装置。
【請求項１８】
前記少なくとも１つのプロセッサは、
エンコーダの前記サブセットにおける各エンコーダに分配すべきデータビットの前記第１の数を決定することと、
エンコーダの前記サブセットにおける各エンコーダに前記第１の数のデータビットを提供することと、
によって、前記第１の数のデータビットを分配するように構成される、請求項１６に記載の装置。
【請求項１９】
データビットの前記第１の数は、エンコーダごとのデータレート、単一のサブキャリアごとのビットの数、データシンボル持続時間、または変調およびコーディングスキームレートのうちの少なくとも１つに基づいて決定される、請求項１８に記載の装置。
【請求項２０】
前記少なくとも１つのプロセッサは、
エンコーダの前記セットにおける前記最後のエンコーダに分配すべきデータビットの前記第２の数を決定することと、
エンコーダの前記セットにおける前記最後のエンコーダに前記第２の数のデータビットを提供することと、
によって、前記第２の数のデータビットを分配するように構成される、請求項１６に記載の装置。
【請求項２１】
前記少なくとも１つのプロセッサは、
データビットの総数を決定することと、
エンコーダの前記サブセットに分配されるペイロードビットの総数を決定することと、
テイルビットの第１の数を決定することと、
データビットの前記総数から、ペイロードビットの前記決定された総数、テイルビットの前記第１の数、およびテイルビットの第２の数を減算することと、
によって、前記第２の数のデータビットを分配するように構成される、請求項２０に記載の装置。
【請求項２２】
不均等な数のビットが、ワイヤレスローカルエリアネットワーク（ＷＬＡＮ）において前記データを送信するためにエンコーダの前記セット内で分配される、請求項１６に記載の装置。
【請求項２３】
エンコーダの前記サブセットにおける各エンコーダに分配されたデータビットの前記第１の数および前記最後のエンコーダに分配されたデータビットの前記第２の数は、異なる、請求項１６に記載の装置。
【請求項２４】
前記データは、結果としてシンボルごとに整数の数のデータビットをもたらす変調およびコーディングスキームレート（ＭＣＳ）レートを使用して送信される、請求項１６に記載の装置。
【請求項２５】
ワイヤレス通信のための装置であって、前記装置はワイヤレスデバイスであり、
データフィールドにおけるシンボルの数を決定するための手段と、
シンボルの前記決定された数に基づいて、エンコーダのセットにおけるエンコーダのサブセット中の各エンコーダに第１の数のデータビットを分配するための手段と、
シンボルの前記決定された数に基づいて、エンコーダの前記セットにおける最後のエンコーダに第２の数のデータビットを分配するための手段と、
第２のワイヤレスデバイスにデータを送信する手段と、ここにおいて前記データは、エンコーダの前記サブセットにおける各エンコーダへの前記分配された第１の数のデータビット、およびエンコーダの前記セットにおける前記最後のエンコーダへの前記分配された第２の数のデータビットに基づいて符号化される、
を備える、装置。
【請求項２６】
シンボルの前記数は、前記ワイヤレスデバイスに割り振られたリソースブロックの総数に基づいて決定される、請求項２５に記載の装置。
【請求項２７】
前記第１の数のデータビットを分配するための前記手段は、
エンコーダの前記サブセットにおける各エンコーダに分配すべきデータビットの前記第１の数を決定し、
エンコーダの前記サブセットにおける各エンコーダに前記第１の数のデータビットを提供する、
ように構成される、請求項２５に記載の装置。
【請求項２８】
データビットの前記第１の数は、エンコーダごとのデータレート、単一のサブキャリアごとのビットの数、データシンボル持続時間、または変調およびコーディングスキームレートのうちの少なくとも１つに基づいて決定される、請求項２７に記載の装置。
【請求項２９】
前記第２の数のデータビットを分配するための前記手段は、
エンコーダの前記セットにおける前記最後のエンコーダに分配すべきデータビットの前記第２の数を決定し、
エンコーダの前記セットにおける前記最後のエンコーダに前記第２の数のデータビットを提供する、
ように構成される、請求項２５に記載の装置。
【請求項３０】
前記第２の数のデータビットを分配するための前記手段は、
データビットの総数を決定することと、
エンコーダの前記サブセットに分配されたペイロードビットの総数を決定することと、
テイルビットの第１の数を決定することと、
データビットの前記総数から、ペイロードビットの前記決定された総数、テイルビットの前記第１の数、およびテイルビットの第２の数を減算することと、
によって、データビットの前記第２の数を決定するように構成される、請求項２９に記載の装置。
【請求項３１】
不均等な数のビットが、ワイヤレスローカルエリアネットワーク（ＷＬＡＮ）において前記データを送信するためにエンコーダの前記セット内で分配される、請求項２５に記載の装置。
【請求項３２】
エンコーダの前記サブセットにおける各エンコーダに分配されたデータビットの前記第１の数および前記最後のエンコーダに分配されたデータビットの前記第２の数は、異なる、請求項２５に記載の装置。
【請求項３３】
前記データは、結果としてシンボルごとの整数の数のデータビットをもたらす変調およびコーディングスキーム（ＭＣＳ）レートを使用して送信される、請求項２５に記載の装置。
【請求項３４】
ワイヤレスデバイスによるワイヤレス通信のためのコンピュータ実行可能コードを記憶するコンピュータ可読媒体であって、
データフィールドにおけるシンボルの数を決定することと、
シンボルの前記決定された数に基づいて、エンコーダのセットにおけるエンコーダのサブセット中の各エンコーダに第１の数のデータビットを分配することと、
シンボルの前記決定された数に基づいて、エンコーダの前記セットにおける最後のエンコーダに第２の数のデータビットを分配することと、
第２のワイヤレスデバイスにデータを送信することと、ここにおいて前記データは、エンコーダの前記サブセットにおける各エンコーダへの前記分配された第１の数のデータビット、およびエンコーダの前記セットにおける前記最後のエンコーダへの前記分配された第２の数のデータビットに基づいて符号化される、
のためのコードを備える、コンピュータ可読媒体。
【発明の詳細な説明】
【関連する出願への相互参照】
【０００１】
[0001]本願は、２０１４年１０月２４日に出願された「Uneven Bit Distributions For Encoder Parsing」と題する米国仮出願番号第６２/０６８,３９３号と、２０１５年１０月２２日に出願された「Uneven Bit Distributions For Encoder Parsing」と題する米国特許出願第１４/９２０,５８４号の利益を主張し、これらは、全体として本明細書に参照によって明示的に組み込まれる。
【技術分野】
【０００２】
[0002]本開示は、概して通信システムに関し、より具体的には、エンコーダ解析のための不均等（uneven）なビット分配をサポートすることに関する。
【背景技術】
【０００３】
[0003]多くの電気通信システムでは、通信ネットワークが、いくつかの相互動作する空間的に隔てられたデバイス間でメッセージを交換するために使用される。ネットワークは、地理的範囲にしたがって分類され得、地理的範囲は、例えば、メトロポリタンエリア、ローカルエリア、またはパーソナルエリアでありうる。そのようなネットワークはそれぞれ、ワイドエリアネットワーク（ＷＡＮ）、メトロポリタンエリアネットワーク（ＭＡＮ）、ローカルエリアネットワーク（ＬＡＮ）、ワイヤレスローカルエリアネットワーク（ＷＬＡＮ）、またはパーソナルエリアネットワーク（ＰＡＮ）と指定されるだろう。ネットワークはまた、様々なネットワークノードおよびデバイスを相互接続するために使用される交換/ルーティング技法（例えば、回線交換対パケット交換）、送信のために用いられる物理媒体のタイプ（例えば、有線対ワイヤレス）、および使用されている通信プロトコルのセット（例えば、インターネットプロトコルスイート、同期型光ネットワーキング（ＳＯＮＥＴ）、イーサネット（登録商標）、等）にしたがって異なる。
【０００４】
[0004]ワイヤレスネットワークは、ネットワーク要素が移動式であり、それゆえに動的接続(connectivity)の必要性を有するとき、またはネットワークアーキテクチャが固定式ではなく、アドホックのトポロジで形成される場合、しばしば好まれる。ワイヤレスネットワークは、電波(radio)、マイクロ波、赤外線、光(optical)等の周波数帯域における電磁波を使用する無誘導伝搬モードで、無形物理媒体を用いる。ワイヤレスネットワークは、固定された有線ネットワークと比較されるとき、有利に、ユーザモビリティおよび迅速なフィールド展開を促進する。
【発明の概要】
【０００５】
[0005]本発明のシステム、方法、コンピュータプログラム製品、およびデバイスは、各々いくつかの態様を有し、そのどれ一つも単独で本発明の望ましい属性を担わない。以下に続く請求項によって明示されているような本発明の範囲を制限することなく、いくつかの特徴が次に簡潔に論じられることになる。この議論を考慮した後、および特に「詳細な説明」と題されたセクションを読んだ後、当業者は、本発明の特徴がいかにしてワイヤレスネットワークにおけるデバイスに利点を提供するかを理解することになる。
【０００６】
[0006]本開示の一態様は、ワイヤレス通信のためのワイヤレスデバイス（例えば、アクセスポイントまたは局）を提供する。ワイヤレスデバイスは、データフィールドにおけるシンボルの数（number）を決定するように構成される。ワイヤレスデバイスは、シンボルの決定された数に基づいて、エンコーダのセットにおけるエンコーダのサブセット中の各エンコーダに第１の数のデータビットを分配するように構成される。ワイヤレスデバイスは、シンボルの決定された数に基づいて、エンコーダのセットにおける最後（last）のエンコーダに第２の数のデータビットを分配するように構成される。ワイヤレスデバイスは、第２のワイヤレスデバイスにデータを送信するように構成される。データは、エンコーダのサブセットにおける各エンコーダへの分配された第１の数のデータビットおよびエンコーダのセットにおける最後のエンコーダへの分配された第２の数のデータビットに基づいて符号化される。
【図面の簡単な説明】
【０００７】
【図１】本開示の態様が用いられうる例となるワイヤレス通信システムを図示する。
【図２】エンコーダ解析のための不均等なビット分配をサポートするワイヤレスデバイスを持つワイヤレスネットワーク（例えば、Ｗｉ−Ｆｉネットワーク）の図である。
【図３】図１のワイヤレス通信システム内の不均等なビット分配をサポートするワイヤレスデバイスの機能的ブロック図である。
【図４】エンコーダ解析のための不均等なビット分配をサポートするワイヤレス通信の実例的な方法のフローチャートである。
【図５】エンコーダ解析のための不均等なビット分配をサポートする実例的なワイヤレス通信デバイスの機能的ブロック図である。
【図６】エンコーダ解析のための不均等なビット分配をサポートする実例的なワイヤレス通信デバイスのブロック図である。
【詳細な説明】
【０００８】
[0013]新規なシステム、装置、コンピュータプログラム製品および方法の様々な態様が、付随の図面を参照して以下でより十分に説明される。しかしながら、本開示は、多くの異なる形態で具現化され得、本開示全体を通じて提示されるいずれの指定の構造または機能にも限定されるとして解釈されるべきではない。むしろこれらの態様は、本開示が徹底的で完全であることになり、当業者に本開示の範囲を十分に伝えることになるように提供される。本明細書での教示に基づいて、当業者は、本発明のあらゆる他の態様からも独立してインプリメントされ（implemented）ようと、または本発明のあらゆる他の態様と組み合わせられようと、本開示の範囲は、本明細書で開示される新規なシステム、装置、コンピュータプログラム製品、および方法のいずれの態様もカバーするように意図されていることを認識すべきである。例えば、本明細書で述べられるあらゆる数の態様を使用して、装置がインプリメントされうる、または方法が実施されうる。加えて、本発明の範囲は、本明細書で述べられる本発明の様々な態様に加えた、またはそれ以外の他の構造、機能性、または構造および機能性を使用して実施されるそのような装置または方法をカバーするように意図されている。本明細書で開示されるいずれの態様も請求項の１つ以上の要素によって具現化されうるということは、理解されるべきである。
【０００９】
[0014]特定の態様が本明細書で説明されるけれども、これらの態様の多くのバリエーションおよび置換が本開示の範囲に入る。好まれる態様のいくつかの利益および利点が言及されるけれども、本開示の範囲は、特定の利益、使用、または目的に制限されるようには意図されていない。むしろ、本開示の態様は、異なるワイヤレス技術、システム構成、ネットワーク、および送信プロトコルに広く適用可能であるように意図されており、それらのいくつかは、好まれる態様の以下の説明において、および図において例として例示される。詳細な説明および図面は、制限しているのではなく本開示を単に例示しており、本開示の範囲は添付の請求項およびその均等物によって定義される。
【００１０】
[0015]一般的な(popular)ワイヤレスネットワーク技術は、様々なタイプのＷＬＡＮを含みうる。ＷＬＡＮは、広範に使用されているネットワーキングプロトコルを用いて、近傍のデバイスを互いに相互接続するために使用されうる。本明細書で説明される様々な態様が、ワイヤレスプロトコルのような、あらゆる通信規格に適用されうる。
【００１１】
[0016]いくつかの態様では、ワイヤレス信号が直交周波数分割多重（ＯＦＤＭ）、直接拡散方式（ＤＳＳＳ）通信、ＯＦＤＭおよびＤＳＳＳ通信の組合せ、または他のスキームを使用する８０２．１１プロトコルにしたがって送信されうる。８０２．１１プロトコルのインプリメンテーションは、センサ、メータリング（metering）、およびスマートグリッドネットワークのために使用されうる。有利に、８０２．１１プロトコルをインプリメントするある特定のデバイスの態様は、他のワイヤレスプロトコルをインプリメントするデバイスよりも少ない電力を消費しうる、および／または、ワイヤレス信号を相対的に長いレンジ、例えば約１キロまたはさらに長い、をわたって送信するために使用されうる。
【００１２】
[0017]いくつかのインプリメンテーションでは、ＷＬＡＮは、ワイヤレスネットワークにアクセスするコンポーネントである様々なデバイスを含む。例えば、２つのタイプのデバイス、アクセスポイント（ＡＰ）およびクライアント（局または「ＳＴＡ」とも称される）が存在しうる。一般に、ＡＰはＷＬＡＮのためのハブまたは基地局としての役目を果たし得、ＳＴＡはＷＬＡＮのユーザとしての役目を果たしうる。例えば、ＳＴＡは、ラップトップコンピュータ、パーソナルデジタルアシスタント（ＰＤＡ）、モバイル電話、等でありうる。ある例では、ＳＴＡは、インターネットまたは他のワイドエリアネットワークへの一般的な接続を取得するためにＷｉ−Ｆｉ（例えば、ＩＥＥＥ８０２．１１プロトコル）に準拠したワイヤレスリンクを介してＡＰに接続する。いくつかのインプリメンテーションでは、ＳＴＡはＡＰとしても使用されうる。
【００１３】
[0018]アクセスポイントはまた、ノードＢ、無線ネットワークコントローラ（ＲＮＣ）、ｅノードＢ、基地局コントローラ（ＢＳＣ）、トランシーバ基地局（ＢＴＳ）、基地局（ＢＳ）、トランシーバ機能（ＴＦ）、無線ルータ、無線トランシーバ、接続ポイント、または何らかの他の専門用語を備えうる、これらとしてインプリメントされうる、またはこれらとして知られうる。
【００１４】
[0019]局はまた、アクセス端末（ＡＴ）、加入者局、加入者ユニット、モバイル局、遠隔局、遠隔端末、ユーザ端末、ユーザエージェント、ユーザデバイス、ユーザ機器、または何らかの他の専門用語を備えうる、これらとしてインプリメントされうる、またはこれらとして知られうる。いくつかのインプリメンテーションでは、局は、セルラ電話、コードレス電話、セッション開始プロトコル（ＳＩＰ）電話、ワイヤレスローカルループ（ＷＬＬ）局、パーソナルデジタルアシスタント（ＰＤＡ）、ワイヤレス接続能力を有するハンドヘルドデバイス、またはワイヤレスモデムに接続されたいくつかの他の適した処理デバイスを備えうる。したがって、本明細書で教示される一つ以上の態様は、電話（例えば、セルラ電話もしくはスマートフォン）、コンピュータ（例えば、ラップトップ）、ポータブル通信デバイス、ヘッドセット、ポータブルコンピューティングデバイス（例えば、パーソナルデータアシスタント）、エンターテイメントデバイス（例えば、音楽もしくはビデオデバイス、または衛星ラジオ）、ゲームデバイスまたはシステム、グローバルポジショニングシステムデバイス、あるいはワイヤレス媒体を介して通信するように構成されるあらゆる他の適したデバイスに組み込まれうる。
【００１５】
[0020]ある態様では、ＭＩＭＯスキームは、ワイドエリアＷＬＡＮ（例えば、Ｗｉ−Ｆｉ）接続のために使用されうる。ＭＩＭＯは、マルチパスと呼ばれる電波特性を利用する。マルチパスでは、送信されたデータが、物体（例えば、壁、戸、家具）に跳ね返り得、異なる経路を通じておよび異なる時間に複数回（multiple times）受信アンテナに達する。ＭＩＭＯを用いるＷＬＡＮデバイスは、データストリームを、空間ストリーム（またはマルチストリーム）と呼ばれる複数の部分に分け、各空間ストリームを、別個のアンテナを通じて、受信側（receiving）ＷＬＡＮデバイス上の対応するアンテナに送信することになる。
【００１６】
[0021]「関連付く（associate)」または「アソシエーション(association)」という用語、あるいはそのあらゆる変形が、本開示のコンテキスト内で可能な最も広い意味を与えられるべきである。例として、第１の装置が第２の装置に関連付くとき、２つの装置は直接関連付けられうる、または中間装置が存在しうることは理解されるべきである。簡潔さのために、２つの装置間のアソシエーションを確立するためのプロセスは、装置のうちの１つによる「アソシエーションリクエスト」、その後に続くもう一方の装置による「アソシエーション応答」を要求するハンドシェイクプロトコルを使用して説明されることになる。ハンドシェイクプロトコルが、例として認証を提供するためのシグナリングのような、他のシグナリングを要求しうることは当業者によって理解されることになる。
【００１７】
[0022]「第１の」、「第２の」、およびその他のような表記を使用する本明細書における要素へのいずれの参照も、概してそれらの要素の量または順序を制限しない。むしろこれらの表記は、２つ以上の要素または要素のインスタンスを区別する便利な方法として本明細書で使用される。それゆえに、第１および第２の要素への参照は、２つの要素のみが用いられうること、または第１の要素が第２の要素に先立たなければならないことを意味しない。加えて、項目のリスト「のうちの少なくとも１つ」を参照するフレーズは単一のメンバを含む、それらの項目のいずれの組合せも指す。例として、「Ａ、Ｂ、またはＣのうちの少なくとも１つ」は、Ａ、またはＢ、またはＣ、またはそのいずれの組合せ（例えば、Ａ−Ｂ、Ａ−Ｃ、Ｂ−Ｃ、およびＡ−Ｂ−Ｃ）をカバーするように意図されている。
【００１８】
[0023]上で論じられたように、例えば、本明細書で説明されるある特定のデバイスは、８０２．１１規格をインプリメントしうる。ＳＴＡ、またはＡＰ、または他のデバイスのいずれとして使用されていようと、そのようなデバイスは、スマートメーターリングのために、またはスマートグリッドネットワークにおいて使用されうる。そのようなデバイスは、センサアプリケーションを提供しうる、またはホームオートメーションにおいて使用されうる。デバイスは、代わりに、または加えて、例えばパーソナルヘルスケアのための、ヘルスケアコンテキストにおいて使用されうる。それらはまた、（例えば、ホットスポットを用いて使用する）拡張レンジインターネット接続を可能にするように、または機械対機械通信をインプリメントするように、見張り(surveillance)のために使用されうる。
【００１９】
[0024]図１は、本開示の態様が用いられうる例となるワイヤレス通信システム１００を図示する。ワイヤレス通信システム１００は、ワイヤレス規格、例えば８０２．１１規格、に準じて動作しうる。ワイヤレス通信システム１００は、ＳＴＡ（例えばＳＴＡ１１２、１１４、１１６、および１１８）と通信するＡＰ１０４を含みうる。
【００２０】
[0025]様々なプロセスおよび方法は、ＡＰ１０４とＳＴＡと間のワイヤレス通信システム１００における送信のために使用されうる。例えば、信号は、ＯＦＤＭ／直交周波数分割多元接続（ＯＦＤＭＡ）技法にしたがってＡＰ１０４とＳＴＡとの間で送られうる、および受信されうる。この場合、ワイヤレス通信システム１００は、ＯＦＤＭ／ＯＦＤＭＡシステムと称されうる。代わりとして、信号は、ＣＤＭＡ技法にしたがってＡＰ１０４とＳＴＡとの間で送られうる、および受信されうる。この場合、ワイヤレス通信システム１００は、ＣＤＭＡシステムと称されうる。
【００２１】
[0026]ＡＰ１０４からＳＴＡのうちの１つ以上への送信を容易にする通信リンクはダウンリンク（ＤＬ）１０８と称され得、ＳＴＡのうちの１つ以上からＡＰ１０４への送信を容易にする通信リンクはアップリンク（ＵＬ）１１０と称されうる。代わりとして、ダウンリンク１０８は、順方向リンクまたは順方向チャネルと称され得、アップリンク１１０は、逆方向リンクまたは逆方向チャネルと称されうる。いくつかの態様では、ＤＬ通信は、ユニキャストまたはマルチキャストトラフィックインジケーションを含みうる。
【００２２】
[0027]ＡＰ１０４は、いくつかの態様では、ＡＰ１０４が多大な(significant)アナログデジタル変換（ＡＤＣ）クリッピング（clipping）ノイズを引き起こすことなく、ＵＬ通信を１つよりも多いチャネル上で同時に受信しうるように隣接チャネル干渉（ＡＣＩ）を抑制しうる。ＡＰ１０４は、例えば、各チャネルに対して別個の有限インパルス応答（ＦＩＲ）フィルタを有すること、または増加されたビット幅を持つより長いＡＤＣバックオフ期間を有することによって、ＡＣＩの抑制を向上させうる。
【００２３】
[0028]ＡＰ１０４は、基地局としての役割をし、基本的なサービスエリア（ＢＳＡ）１０２におけるワイヤレス通信カバレッジを提供しうる。ＢＳＡ（例えば、ＢＳＡ１０２）は、ＡＰ（例えば、ＡＰ１０４）のカバレッジエリアである。ＡＰ１０４は、ＡＰ１０４に関連付けられた、および通信のためにＡＰ１０４を使用するＳＴＡとともに、ベーシックサービスセット（ＢＳＳ）と称されうる。ワイヤレス通信システム１００が中央ＡＰ（例えば、ＡＰ１０４）を有さないことがあり、むしろＳＴＡ間のピアツーピアネットワークとして機能しうることは留意されるべきである。したがって、本明細書で説明されるＡＰ１０４の機能は、代わりとしてＳＴＡの１つ以上によって行われうる。
【００２４】
[0029]ＡＰ１０４は、１つ以上のチャネル（例えば、複数の狭帯域チャネル、各チャネルは周波数帯域幅を含む）上で、ワイヤレス通信システム１００の他のノード（ＳＴＡ）にダウンリンク１０８のような通信リンクを介して、ビーコン信号（または単に「ビーコン」）を送信し得、それは他のノード（ＳＴＡ）がＡＰ１０４とそれらのタイミングを同期するのを助けうる、またはそれは他の情報または機能性を提供しうる。そのようなビーコンは、周期的に送信されうる。一態様では、連続する送信間の期間はスーパーフレームと称されうる。ビーコンの送信は、ある数のグループまたはインターバルに分割されうる。一態様では、ビーコンは、共通のクロックを設定するためのタイムスタンプ情報、ピアツーピアネットワーク識別子、デバイス識別子、能力情報、スーパーフレーム持続時間、送信方向情報、受信方向情報、近隣リスト、および／または拡張近隣リストのような情報を含みうるが、それらに制限されず、それらのいくつかは以下の追加の詳細で説明される。それゆえに、ビーコンは、所与のデバイスに特有であること、およびいくつかのデバイス間で共通である(例えば、共有される）ことの両方である情報を含みうる。
【００２５】
[0030]いくつかの態様では、ＳＴＡ（例えば、ＳＴＡ１１４）は、ＡＰ１０４に通信を送るために、および／またはＡＰ１０４から通信を受信するために、ＡＰ１０４に関連付くように要求されうる。一態様では、関連付くための情報は、ＡＰ１０４によってブロードキャストされたビーコンに含まれる。そのようなビーコンを受信するために、ＳＴＡ１１４は、例えば、カバレッジ領域にわたって広いカバレッジ探索を行いうる。探索はまた、例えば灯台形式でカバレッジ領域を掃引することによって、ＳＴＡ１１４により行われうる。関連付くための情報を受信した後、ＳＴＡ１１４は、アソシエーションプローブまたはリクエストのような、基準信号をＡＰ１０４に送信しうる。いくつかの態様では、ＡＰ１０４は、例えば、インターネットまたは公衆交換電話ネットワーク（ＰＳＴＮ）のような、より大きなネットワークと通信するために、バックホール（backhaul）サービスを使用しうる。
【００２６】
[0031]ある態様では、ＡＰ１０４は、様々な機能を行うための１つ以上のコンポーネントを含みうる。例えば、ＡＰ１０４は、データフィールドにおけるシンボルの数を決定するように構成された符号化コンポーネント１２４を含みうる。符号化コンポーネント１２４は、シンボルの決定された数に基づいてエンコーダのセットにおけるエンコーダのサブセット中の各エンコーダに第１の数のデータビットを分配するように構成されうる。符号化コンポーネント１２４は、シンボルの決定された数に基づいてエンコーダのセットにおける最後のエンコーダに第２の数のデータビットを分配するように構成されうる。符号化コンポーネント１２４は、第２のワイヤレスデバイスにデータを送信するように構成され得、データは、エンコーダのサブセットにおける各エンコーダへの分配された第１の数のデータビットおよびエンコーダのセットにおける最後のエンコーダへ分配された第２の数のデータビットに基づいて符号化されうる。
【００２７】
[0032]別の態様では、ＳＴＡ１１４は、様々な機能を行うための１つ以上のコンポーネントを含みうる。例えば、ＳＴＡ１１４は、データフィールドにおけるシンボルの数を決定するように構成された符号化コンポーネント１２６を含みうる。符号化コンポーネント１２６は、シンボルの決定された数に基づいてエンコーダのセットにおけるエンコーダのサブセット中の各エンコーダに第１の数のデータビットを分配するように構成されうる。符号化コンポーネント１２６は、シンボルの決定された数に基づいてエンコーダのセットにおける最後のエンコーダに第２の数のデータビットを分配するように構成されうる。符号化コンポーネント１２６は、第２のワイヤレスデバイスにデータを送信するように構成され得、データは、エンコーダのサブセットにおける各エンコーダへの分配された第１の数のデータビットおよびエンコーダのセットにおける最後のエンコーダへの分配された第２の数のデータビットに基づいて符号化されうる。
【００２８】
[0033]ワイヤレス通信では（例えば、Ｗｉ-Ｆｉネットワークでは）、ワイヤレスデバイスは、データを送信する前に１つ以上のエンコーダ（例えば、バイナリ畳み込みコード（ＢＣＣ）エンコーダ）を使用してデータを符号化しうる。例えば、エンコーダは、現在および将来のＩＥＥＥ８０２．１１規格に準拠したデバイスにおいて使用されうる。いくつかの事例では、ワイヤレスデバイスは、特定の送信帯域幅（例えば、毎秒１ギガビット（Ｇｂｐｓ））をサポートするために、複数のエンコーダを利用しうる。これらの事例では、送信のためのデータビットがスクランブルされ、その後符号化するためのエンコーダ間で均等に分配されうる。例えば、ある数のエンコーダＮＥＳが存在することを想定すると、ＮＥＳビットのすべての連続的ブロックが、ラウンドロビン形式（round robin fashion）（例えば、１サイクルでエンコーダごとに１以上のビットが割り当てられる）において、ＮＥＳ個のエンコーダ間で分割されうる。ビットが残されていないこと、およびすべてのエンコーダが符号化のために同じ数のビットを有することを確実にするために、パディング（padding）後のビットの全体の数は、ＮＥＳ個のエンコーダの各エンコーダが等しい数の割り振られたビットを有するように均等に分割されうる。しかしながら、いくつかのケースでは、データビットの数は、所与の変調およびコーディングスキーム（ＭＣＳ）インデックスおよび帯域幅において、エンコーダ間で均等に分割されることができない。そのようなケースでは、結果としてエンコーダへのビットの不均等な分配をもたらすＭＣＳインデックスは、認められないことがある。これは、使用されうるＭＣＳインデックスの数を低減する。
【００２９】
[0034]ＭＣＳインデックスが、以下の２つの式：
【数１】
2017538324.tif 000003
に基づきうる、ＭＣＳ除外テスト（exclusion test）を通過しない場合、ＭＣＳインデックスは、所与の帯域幅およびある数の空間ストリームＮＳＳに関して認められないことがある。
【００３０】
[0035]つまり、ＭＣＳ除外テストにおける
【数２】
2017538324.tif 000004
または
【数３】
2017538324.tif 000005
のどちらかの式が結果として非整数の値になる場合、ＭＣＳインデックスは認められないことがある。ＮＣＢＰＳはシンボルごとのコード化されたビットの数を表し、ＮＤＢＰＳはシンボルごとのデータビットの数を表し、ＮＥＳはエンコーダの数を表す。上の式のどちらかが非整数である場合、これは、複数のエンコーダのセットにおけるエンコーダのすべてが同じ数のデータビットを受信しない、または割り当てられないことがあることを示す。上の式が非整数である確率は、エンコーダの数が１より大きいときに増加する。上の式では、ＮＤＢＰＳは数式１：
【数４】
2017538324.tif 000006
によって決定されうる。
【００３１】
[0036]数式１では、ＲはＭＣＳコードレート（例えば、１／２）を表し、ＭＣＳインデックスに関連付けられる。ＮＣＢＰＳは数式２：
【数５】
2017538324.tif 000007
によって決定されうる。
【００３２】
[0037]数式２では、ＮＳＤはシンボルにおけるデータサブキャリアの数を表し、ＮＢＰＳＣＳは各空間ストリームに対する単一のサブキャリアごとのビットの数を表す。例えば、シンボルにおいて５２個のデータサブキャリアが、およびデータサブキャリアごとに２ビットが存在する場合、シンボルごとに１０４個のコード化されたビットが存在しうる。１／２のＭＣＳコードレートを想定すると、この例では、シンボルごとのデータビットの数が５２個でありうる。ＮＥＳは数式３：
【数６】
2017538324.tif 000008
によって決定されうる。
【００３３】
[0038]シンボル[ｘ]は、ｘと等しいまたはｘより大きい最小の整数を表示する天井関数である。ＴｏｔａｌＤａｔａＲａｔｅは送信のデータレートを表し、それは
【数７】
2017538324.tif 000009
によって決定され得、ここでＴｓｙｍはシンボル持続時間である。ＥｎｃｏｄｅｒＤａｔａＲａｔｅは、エンコーダごとの最大データレート（例えば、エンコーダがサポートしうる最大のデータレート）を表し、ワイヤレスデバイスが準拠する規格に基づいて決定されうる。例えば、ＩＥＥＥ８０２．１１ｎでは、最大エンコーダデータレート（またはエンコーダごとのデータレート）は３６０メガビット毎秒（Ｍｂｐｓ）でありうる。ＩＥＥＥ８０２．１１ａｃでは、最大エンコーダデータレートは６００Ｍｂｐｓでありうる。ある態様では、エンコーダデータレートはデコーダの速度によって制限され得、それにより最大のエンコーダデータレートは最大デコーダレートに依存しうる。各エンコーダが最大エンコーダレートを有するので、より高いデータ送信レートをサポートするために、ワイヤレスデバイスは、複数のエンコーダを使用しうる。ある態様では、間引きパターン（puncture patterns）がＯＦＤＭシンボル間で一定に留まりうることを確かにするために、および間引き／レートマッチング後の余分なパディングシンボルを求める必要性を回避するために、ＭＣＳ除外テストが使用される。
【００３４】
[0039]ある例では、データビットが４相位相シフトキーイング（ＱＰＳＫ）変調を使用して変調されることを想定すると、ＮＢＰＳＣＳ＝２である。シンボルにおけるデータサブキャリアの数ＮＢＰＳＣＳが２０ＭＨｚシンボルにおいて５２であると想定すると、シンボルごとのコード化されたビットの数ＮＣＢＰＳは１０４と等しい。Ｒが１／２と等しいと想定すると、シンボルごとのデータビットの数ＮＤＰＢＳは５２と等しい。この例では、ＮＥＳ＝４である場合、
【数８】
2017538324.tif 000010
および
【数９】
2017538324.tif 000011
は整数値（それぞれ、２６および１３）になるが、ＮＥＳ＝３である場合、
【数１０】
2017538324.tif 000012
および
【数１１】
2017538324.tif 000013
は整数値でないことがあり、異なるＭＣＳインデックスが必要とされうる。式
【数１２】
2017538324.tif 000014
および
【数１３】
2017538324.tif 000015
に関して、結果として非整数値をもたらすだろういずれのＭＣＳインデックスも除外されうる。
【００３５】
[0040]ある態様、式
【数１４】
2017538324.tif 000016
では、ＮＳＤおよびＮＢＰＳＣＳは通常、整数値でありうるので、ＮＣＢＰＳはしばしば整数でありうる。ＮＤＢＰＳの値が、非整数（例えば、１／２、３／４）でありうるＲに依存する（またはＲの関数である）ので、ＮＤＢＰＳは、ＮＣＢＰＳよりも、整数である可能性は低くなることがある。さらに、ＮＤＢＰＳが整数である場合でさえ、
【数１５】
2017538324.tif 000017
は、ＮＥＳが１より大きいとき、非整数でありうる。このように、エンコーダ解析のための均等なビット分配は、ある特定のＮＳＤに関して、ある特定のＭＣＳインデックスが除外されうる可能性を増加させる。
【００３６】
[0041]加えて、ＯＦＤＭＡ送信では、ユーザがｋ個のリソースブロック（ＲＢ）を割り当てられ得、各ＲＢがシンボルごとにある数のデータビットを有しうるように、各ＲＢは異なる（または同じ）数のデータサブキャリアを有しうる。例えば、リソースブロック１は、シンボルごとにＮＤＢＰＳ，１個のデータビットを有し得、リソースブロック２は、シンボルごとにＮＤＰＢＳ,２個のデータビットを有し得、それは、シンボルごとにＮＤＢＰＳ，ｋ個のデータビットを有しうるリソースブロックｋまで続く（through resource block k, which may have NDBPS,k data bits per symbol）。ＲＢ（またはシンボル）１、２、．．．、ｋ内のシンボルごとのデータビットの数が整数であり、各ＲＢに関して、式
【数１６】
2017538324.tif 000018
および
【数１７】
2017538324.tif 000019
が両方整数である場合でさえ、ある特定のＭＣＳインデックスは依然として除外されうる。例えば、各ユーザがすべてのＲＢに対してジョイント符号化を使用すると想定する。ジョイント符号化は、各ユーザが、ユーザに割り当てられたＲＢの数にかかわらず、同じエンコーダ（またはエンコーダのセット）を使用するシナリオを指しうる。このシナリオでは、ＭＣＳ除外テスティングは、ユーザに割り当てられたすべてのＲＢからの合計ＮＤＢＰＳに基づきうる。合計ＮＤＢＰＳは整数の数の加算に起因して整数であるけれども、合計ＮＤＰＢＳに基づいて計算されるＮＥＳは、各ＮＥＳ，ｋ（各ＲＢに割り当てられたエンコーダの数）より大きくなり、それは
【数１８】
2017538324.tif 000020
が非整数になることを引き起こし、それゆえにＭＣＳ除外テストを失敗させる（fail）。
【００３７】
[0042]このように、複数エンコーダ解析のための不均等なビット分配を可能にすることは、それがＭＣＳインデックス選択に関してより高いフレキシビリティを提供するので、有利である。複数エンコーダ解析のための均等なビット分配要件と比較されると、より様々なＭＣＳインデックスが不均等なビット分配を可能にすることによってサポートされうる。
【００３８】
[0043]図２は、エンコーダ解析のための不均等なビット分配をサポートするワイヤレスデバイスを持つワイヤレスネットワーク（例えば、Ｗｉ−Ｆｉネットワーク）の図２００である。図２００は、サービスエリア２１４内でブロードキャスト／送信するＡＰ２０２を例示する。ＳＴＡ２０６、２０８、２１０、２１２は、ＡＰ２０２のサービスエリア２１４内にある（図２では４つのＳＴＡのみが図示されているけれども、より多いまたはより少ないＳＴＡがサービスエリア２１４内にありうる）。
【００３９】
[0044]ＡＰ２０２は、フレーム（例えば、データシンボル）２０４を１つ以上のＳＴＡ（例えば、ＳＴＡ２０６、２０８、２１０、２１２）に送信しうる、およびその逆も同様である。フレームは、プリアンブルおよびデータシンボルを含みうる。プリアンブルは、変調およびコーディングスキーム、送信レート、ならびにフレームを送信するための時間の長さを識別する情報を持つフレームのヘッダとして考慮されうる。プリアンブルは、シグナル（ＳＩＧ）フィールド、ショートトレーニングフィールド（ＳＴＦ）、およびロングトレーニングフィールド（ＬＴＦ）（例えば、１つ以上のＬＴＦシンボルを有する）を含みうる。ＳＩＧフィールドは、転送レートおよび長さ情報を含みうる。ＳＴＦは、マルチ送信およびマルチ受信システムにおいて、自動利得制御（ＡＧＣ）を向上させるために使用されうる。ＬＴＦシンボルは、チャネル推定を行うために受信機（例えば、ＳＴＡ２０６）によって使用される情報を提供するために使用されうる。ＬＴＦシンボルの数は、異なるＳＴＡからの空間―時間ストリームの数より等しい、または大きくありうる。例えば、４つのＳＴＡが存在する場合、プリアンブル内に４つのＬＴＦシンボルが存在しうる。データシンボルは、例えば、ＳＴＡ２０６と、ＡＰ２０２との間で通信されるべきユーザデータを包含しうる。
【００４０】
[0045]ある態様では、ＳＴＡ２０６は、フレーム２０４のデータフィールドにおける１つ以上のＯＦＤＭシンボルにおいてＡＰ２０２に送信すべきデータビットを有しうる。データビットは、送信のために１つ以上のエンコーダ（例えば、ＢＣＣエンコーダ）によって符号化されうる。ある態様では、ＳＴＡ２０６は、例えば、ＢＣＣエンコーダ間でデータビットを均等に分配する必要なくＡＰ２０２への送信のためにデータビットを符号化するように、複数のＢＣＣエンコーダを使用しうる。そのようにするためには、ＳＴＡ２０６は最初に、数式４：
【数１９】
2017538324.tif 000021
を使用してデータフィールドにおけるＯＦＤＭデータシンボルの数を決定しうる。
【００４１】
[0046]数式４では、長さはフレーム終了（end-of-frame）ＭＡＣパディング前のアグリゲートされた（aggregated）媒体アクセス制御（ＭＡＣ）プロトコルデータユニット（Ａ−ＭＰＤＵ）長、またはＳＩＧフィールドにおけるオクテットでの長さフィールドの値を表し、ｍｓｔｂｃは、空間―時間ブロックコード（ＳＴＢＣ）値を表す（ＳＴＢＣが使用される場合ｍｓｔｂｃ＝２であり、ＳＴＢＣが使用されない場合ｍｓｔｂｃ＝１である）。ＮＤＢＰＳはＯＦＤＭシンボルごとのデータビットの数であり、Ｎｔａｉｌはエンコーダごとのテイルビット（tail bits）の数（例えば、各エンコーダに対して６個のゼロのような６テイルビット）である。ＮＳＥＲＶＩＣＥは１６ビットであり得、ＮＥＳは送信のためにデータビットを符号化することに使用されるべきエンコーダの数を表す。シンボル[ｘ]とはｘと等しいまたはｘより大きい最小の整数を表示する天井関数である。
【００４２】
[0047]ある態様では、ＯＦＤＭＡ送信に関して、ＮＤＢＰＳは、数式５：
【数２０】
2017538324.tif 000022
を使用して決定されうる。
【００４３】
[0048]数式５では、ＮＲＢはＳＴＡ２０６に割り振られたリソースブロックの総数を表し、ＮＤＢＰＳ，ｋは各割り振られたリソースブロックに対するシンボルごとのデータビットの数を表す。次に、ＮＥＳ個のエンコーダを想定すると、当業者は、エンコーダ１、…、エンコーダＮｅｓ−１が、いずれのＭＡＣおよび物理層パディングビットも必要としないことをさらに想定しうる。エンコーダｉ、なおｉ＝１、…、Ｎｅｓ−１である、に関して、スクランブリング後にエンコーダのセットにおける各エンコーダ（最後のエンコーダを除く、ここにおいてＮｅｓ−１は、最後のエンコーダから二つ目を表す）に分配されるべき分配されたデータビットの数は、各エンコーダがサポートすることができるデータレートに基づいて与えられ得、数式６：
【数２１】
2017538324.tif 000023
によって決定されうる。
【００４４】
[0049]数式６では、Ｔｓｙｍはデータシンボル持続時間を表す。シンボル[ｘ]はｘと等しいまたはｘより小さい最小の整数を表示する床関数（floor function）を表示する。数式６では、ＥｎｃｏｄｅｒＤａｔａＲａｔｅ×Ｔｓｙｍはシンボルごとのデータビットの最大数ＮＤＢＰＳを表し得、床関数は、特定のＭＣＳ設定を与えられたエンコーダｉによってサポートされるデータトーンの最大数を決定しうる。式
【数２２】
2017538324.tif 000024
は、ＭＣＳコードレートを与えられたエンコーダによってサポートされうるデータトーンの最大数を表し得、式
【数２３】
2017538324.tif 000025
は、１つのエンコーダに対するシンボルごとのデータビットの数を表しうる。テイルビットは、エンコーダパーサ（parser）オペレーションの後、データビットフローに付与されうる。
【００４５】
[0050]最後のエンコーダを除いたエンコーダのセットにおける各エンコーダに分配すべきスクランブルされたビットの数Ｎｐｌｄ，ｉを決定してしまうと、最後のエンコーダに分配すべきスクランブルされたビットの数は、数式７：
【数２４】
2017538324.tif 000026
によって決定されうる。
【００４６】
[0051]数式７は、数式８：
【数２５】
2017538324.tif 000027
に簡約されうる。
【００４７】
[0052]このように、最後のエンコーダは、他のエンコーダと同じ数のビットを割り振られていないことがある。数式８では、Ｎｓｙｍ×ＮＤＢＰＳは、データビットの総数を示しうる。式、
【数２６】
2017538324.tif 000028
は、ＮＥＳ−１個のエンコーダに割り振られたデータビットの数を示しうる。重ねて、テイルビットは、エンコーダ解析の後にデータビットに付与されうる。不均等なビット分配エンコーダ解析では、ＭＣＳ除外テストは、合計ＮＤＢＰＳが整数であることのみを要求しうる。ＮＤＢＰＳが整数である場合、特定のＭＣＳインデックスが使用され得、そうでなければＮＤＢＰＳが非整数である場合、特定のＭＣＳインデックスが除外される。
【００４８】
[0053]エンコーダのセットにおける各エンコーダに対するビット分配を決定してしまうと、ＳＴＡ２０６は、ＡＰ２０２にデータを送信しうる。ある態様では、データは、第１（またはサブセット）のＮＥＳ-１個のエンコーダに分配された第１の数のビットおよびＮＥＳ番目のエンコーダに分配された第２の数のビットに基づいて符号化される。
【００４９】
[0054]前述の例はＳＴＡがＡＰに送信する場合で論じられてきたけれども、エンコーダへの不均等なビット分配をサポートするための同じオペレーションおよびプロシージャが、ＡＰがＳＴＡにデータビットを送信することによって適用されうる。
【００５０】
[0055]図３は、図１のワイヤレス通信システム１００内の不均等なビット分配をサポートするワイヤレスデバイス３０２の機能的ブロック図である。ワイヤレスデバイス３０２は、本明細書で説明されている様々な方法をインプリメントするように構成されうるデバイスの例である。例えば、ワイヤレスデバイス３０２は、ＡＰ１０４、ＡＰ２０２、ＳＴＡ１１２、１１４、１１６、１１８、またはＳＴＡ２０６、２０８、２１０、２１２でありうる。
【００５１】
[0056]ワイヤレスデバイス３０２は、ワイヤレスデバイス３０２のオペレーションを制御するプロセッサ３０４を含みうる。プロセッサ３０４はまた、中央処理ユニット（ＣＰＵ）としても称されうる。読取専用メモリ（ＲＯＭ）およびランダムアクセスメモリ（ＲＡＭ）の両方を含みうるメモリ３０６は、プロセッサ３０４に命令ならびにデータを提供しうる。メモリ３０６の一部分は、不揮発性ランダムアクセスメモリ（ＮＶＲＡＭ）も含みうる。プロセッサ３０４は通常、メモリ３０６内に記憶されたプログラム命令に基づいて論理および算術オペレーションを行う。メモリ３０６における命令は、本明細書で説明されている方法をインプリメントするように（例えば、プロセッサ３０４によって）実行可能でありうる。
【００５２】
[0057]プロセッサ３０４は、１つ以上のプロセッサでインプリメントされた処理システムを構成しうる、またはそのコンポーネントでありうる。１つ以上のプロセッサは、汎用マイクロプロセッサ、マイクロコントローラ、デジタルシグナルプロセッサ（ＤＳＰ）、フィールドプログラマブルゲートアレイ（ＦＰＧＡ）、プログラマブル論理デバイス（ＰＬＤ）、コントローラ、ステートマシン（state machines）、ゲート論理回路、離散ハードウェアコンポーネント、専用ハードウェア有限ステートマシン、または情報の計算もしくは他の操作を行うことができるあらゆる他の適したエンティティの、いずれの組合せでもインプリメントされうる。
【００５３】
[0058]処理システムはまた、ソフトウェアを記憶するための機械可読媒体を含みうる。ソフトウェアは、ソフトウェア、ファームウェア、ミドルウェア、マイクロコード、ハードウェア記述言語、または別の方法(otherwise)のいずれで称されようと、あらゆるタイプの命令を意味するように広く解釈されることとする。命令は、（例えば、ソースコードフォーマット、バイナリコードフォーマット、実行可能コードフォーマット、またはコードのあらゆる他の適したフォーマットにおける）コードを含みうる。命令は、１つ以上のプロセッサによって実行されたとき、処理システムに本明細書で説明されている様々な機能を行わせる。
【００５４】
[0059]ワイヤレスデバイス３０２はまたハウジング３０８も含み得、ワイヤレスデバイス３０２は、ワイヤレスデバイス３０２と遠隔デバイスの間のデータの送信および受信を可能にするための送信機３１０および／または受信機３１２を含みうる。送信機３１０および受信機３１２は、トランシーバ３１４に組み合わせられうる。アンテナ３１６はハウジング３０８に取り付けられ、トランシーバ３１４に電気的に結合されうる。ワイヤレスデバイス３０２はまた、複数の送信機、複数の受信機、複数のトランシーバ、および／または複数のアンテナを含みうる。
【００５５】
[0060]ワイヤレスデバイス３０２はまた、トランシーバ３１４または受信機３１２によって受信された信号のレベルを検出および量子化するために使用されうる信号検出器３１８を含みうる。信号検出器３１８は、総エネルギー、シンボルあたりのサブキャリアごとのエネルギー、電力スペクトル密度、および他の信号のような信号を検出しうる。ワイヤレスデバイス３０２はまた、信号を処理する際に使用するデジタルシグナルプロセッサ（ＤＳＰ）３２０を含みうる。ＤＳＰ３２０は、送信のためのパケットを生成するように構成されうる。いくつかの態様では、パケットは物理層コンバージェンスプロシージャ（ＰＬＣＰ）プロトコルデータユニット（ＰＰＤＵ）を備えうる。
【００５６】
[0061]ワイヤレスデバイス３０２はさらに、いくつかの態様では、ユーザインタフェース３２２を備えうる。ユーザインタフェース３２２は、キーパッド、マイクロフォン、スピーカ、および／またはディスプレイを備えうる。ユーザインタフェース３２２は、ワイヤレスデバイス３０２のユーザに情報を運ぶ、および／またはユーザから入力を受信するあらゆる要素またはコンポーネントを含みうる。
【００５７】
[0062]ワイヤレスデバイス３０２が、ＡＰ（例えば、ＡＰ１０４、ＡＰ２０２）として、またはＳＴＡ(例えば、ＳＴＡ１１４、ＳＴＡ２０６）としてインプリメントされるとき、ワイヤレスデバイス３０２はまた、符号化コンポーネント３２４も備えうる。符号化コンポーネント３２４は、データフィールドにおけるシンボルの数を決定するように構成されうる。符号化コンポーネント３２４は、シンボルの決定された数に基づいて、エンコーダのセットにおけるエンコーダのサブセット中の各エンコーダに第１の数のデータビットを分配するように構成されうる。符号化コンポーネント３２４は、シンボルの決定された数に基づいて、エンコーダのセットにおける最後のエンコーダに第２の数のデータビットを分配するように構成されうる。ある態様では、例えば、符号化コンポーネント３２４は、プロセッサ３０４に分配されるべきデータビットの第１および／または第２の数を示しうる３３２。符号化コンポーネント３２４は、データ（例えば、符号化されたデータ３３０）を第２のワイヤレスデバイスに送信するように構成され得、ここにおいてデータは、エンコーダのサブセットにおける各エンコーダへの分配された第１の数のデータビット、およびエンコーダのセットにおける最後のエンコーダへの分配された第２の数のデータビットに基づいて符号化されている。一構成では、シンボルの数は、ワイヤレスデバイスに割り振られたリソースブロックの総数に基づいて決定されうる。別の構成では、符号化コンポーネント３２４は、エンコーダのサブセットにおける各エンコーダに分配すべきデータビットの第１の数を決定すること、およびエンコーダのサブセットにおける各エンコーダに第１の数のデータビットを提供することによって、第１の数のデータビットを分配するように構成されうる。別の構成では、データビットの第１の数は、エンコーダごとのデータレート、単一のサブキャリアごとのビットの数、データシンボル持続時間、または変調およびコーディングスキームレート、のうちの少なくとも１つに基づいて決定されうる。別の構成では、符号化コンポーネント３２４は、エンコーダのセットにおける最後のエンコーダに分配すべきデータビットの第２の数を決定すること、およびエンコーダのセットにおける最後のエンコーダに第２の数のデータビットを提供することによって、第２の数のデータビットを分配するように構成されうる。別の構成では、符号化コンポーネント３２４は、データビットの総数を決定することによって、エンコーダのサブセットに分配されたペイロードビットの総数を決定することによって、テイルビットの第１の数を決定することによって、ならびにデータビットの総数から、ペイロードビットの決定された総数、テイルビットの第１の数、およびテイルビットの第２の数を減算することによって、データビットの第２の数を決定するように構成されうる。
【００５８】
[0063]ワイヤレスデバイス３０２の様々なコンポーネントが、バスシステム３２６によって互いに結合されうる。バスシステム３２６はデータバスを含み、例えば、データバスに加えて、電力バス、制御信号バス、およびステータス信号バスも同様に含みうる。ワイヤレスデバイス３０２のコンポーネントは、何らかの他のメカニズムを使用して互いに結合されうる、または互いへのインプットを受け入れうるか、もしくは提供しうる。
【００５９】
[0064]ある数の別個のコンポーネントが図３において例示されているけれども、コンポーネントの１つ以上が、組み合わせられうる、または共同して（commonly）インプリメントされうる。例えば、プロセッサ３０４は、プロセッサ３０４に関して上で説明された機能性をインプリメントするためだけでなく、信号検出器３１８、ＤＳＰ３２０、ユーザインタフェース３２２、および／または符号化コンポーネント３２４に関して上で説明された機能性をインプリメントするためにも使用されうる。さらに、図３において例示されているコンポーネントの各々は、複数の別個の要素を使用してインプリメントされうる。
【００６０】
[0065]図４は、エンコーダ解析のための不均等なビット分配をサポートするワイヤレス通信の実例的な方法４００のフローチャートである。方法４００は、装置（例えば、例として、ＡＰ１０４、ＡＰ２０２、ＳＴＡ１１４、ＳＴＡ２０６、またはワイヤレスデバイス３０２）を使用して行われうる。方法４００は、図３のワイヤレスデバイス３０２の要素に関して以下で説明されているけれども、他のコンポーネントが本明細書で説明されているステップの１つ以上をインプリメントするために使用されうる。図４では、点線を用いて示されたいずれのブロックも、オプションのオペレーションを表す。
【００６１】
[0066]ブロック４０５で、装置は、データフィールドにおけるシンボルの数を決定しうる。ある態様では、シンボルの数は、装置に割り振られたリソースブロックの総数に基づいて決定されうる。例えば、図２を参照すると、ＳＴＡ２０６は、データフィールドにおけるシンボルの数を決定しうる。ＳＴＡ２０６は、数式４にしたがって、データフィールドにおけるデータシンボルの数を決定しうる。
【００６２】
[0067]ブロック４１０で、装置は、シンボルの決定された数に基づいて、エンコーダのセットにおけるエンコーダのサブセット中の各エンコーダに第１の数のデータビットを分配しうる。装置は、（ブロック４１５において）エンコーダのサブセットにおける各エンコーダに分配すべきデータビットの第１の数を決定することによって、および（ブロック４２０において）エンコーダのサブセットにおける各エンコーダに第１の数のデータビットを提供することによって、各エンコーダに第１の数のデータビットを分配しうる。例えば、図２を参照すると、ＳＴＡ２０６は、シンボルの決定された数に基づいて、５個のエンコーダのセットにおける４個のエンコーダのサブセット中の各エンコーダに第１の数のデータビットを分配しうる。ＳＴＡ２０６は、数式６にしたがって、４個のエンコーダの各々に分配すべきデータビットの第１の数を決定し得、ＳＴＡ２０６は、４個のエンコーダに第１の数のデータビットを提供しうる。
【００６３】
[0068]ブロック４２５で、装置は、シンボルの決定された数に基づいて、エンコーダのセットにおける最後のエンコーダに第２の数のデータビットを分配しうる。装置は、（ブロック４３０において）エンコーダのセットにおける最後のエンコーダに分配すべきデータビットの第２の数を決定することによって、および（ブロック４３５において）エンコーダのセットにおける最後のエンコーダに第２の数のデータビットを提供することによって、第２の数のデータビットを分配しうる。例えば、図２を参照すると、ＳＴＡ２０６は、シンボルの決定された数に基づいて、５個のエンコーダのセットにおける５番目のエンコーダに第２の数のデータビット（例えば、残りのデータビット）を分配しうる。ＳＴＡ２０６は、数式７または８に基づいて、５番目のエンコーダに分配すべきデータビットの第２の数を決定し得、５番目のエンコーダに第２の数のデータビットを提供しうる。
【００６４】
[0069]ブロック４４０で、装置は、第２のワイヤレスデバイスにデータを送信しうる。データは、エンコーダのサブセットにおける各エンコーダへの分配された第１の数のデータビットの、およびエンコーダのセットにおける最後のエンコーダへの分配された第２の数のデータビットに基づいて符号化されうる。例えば、図２を参照すると、ＳＴＡ２０６は、ＡＰ２０２にデータを送信しうる。データは、様々なエンコーダに分配された、分配された第１および第２の数のデータビットに基づいて符号化されうる。
【００６５】
[0070]図５は、エンコーダ解析のための不均等なビット分配をサポートする実例的なワイヤレス通信デバイス５００の機能的ブロック図である。ワイヤレス通信デバイス５００は、受信機５０５、処理システム５１０、および送信機５１５を含みうる。処理システム５１０は、符号化コンポーネント５２４および／または分配コンポーネント５２６を含みうる。処理システム５１０および／または符号化コンポーネント５２４は、データフィールドにおけるシンボルの数を決定するように構成されうる。ある態様では、分配コンポーネント５２６は、データフィールドにおけるデータシンボルの数５２８を通知され得、様々なエンコーダに分配されるべきデータビットの第１および／または第２の数のインジケーション５３０を提供しうる。処理システム５１０、符号化コンポーネント５２４、および／または分配コンポーネント５２６は、シンボルの決定された数に基づいて、エンコーダのセットにおけるエンコーダのサブセット中の各エンコーダに、第１の数のデータビットを分配するように構成されうる。処理システム５１０、符号化コンポーネント５２４、および／または分配コンポーネント５２６は、シンボルの決定された数に基づいて、エンコーダのセットにおける最後のエンコーダに、第２の数のデータビットを分配するように構成されうる。処理システム５１０、符号化コンポーネント５２４、および／または送信機５１５は、第２のワイヤレスデバイスにデータ（例えば、符号化されたデータ５３２）を送信するように構成されうる。データは、（例えば、符号化コンポーネント５２４によって）エンコーダのサブセットにおける各エンコーダへの分配された第１の数のデータビット、およびエンコーダのセットにおける最後のエンコーダへの分配された第２の数のデータビットに基づいて符号化されうる。ある態様では、シンボルの数は、ワイヤレスデバイスに割り振られたリソースブロックの総数に基づいて決定されうる。一構成では、処理システム５１０、符号化コンポーネント５２４、および／または分配コンポーネント５２６は、エンコーダのサブセットにおける各エンコーダに分配すべきデータビットの第１の数を決定することによって、およびエンコーダのサブセットにおける各エンコーダに第１の数のデータビットを提供することによって、第１の数のデータビットを分配するように構成されうる。ある態様では、データビットの第１の数は、エンコーダごとのデータレート、単一のサブキャリアごとのビットの数、データシンボル持続時間、または変調およびコーディングスキームレートのうちの少なくとも１つに基づいて決定される。別の構成では、処理システム５１０、符号化コンポーネント５２４、および／または分配コンポーネント５２６は、エンコーダのセットにおける最後のエンコーダに分配すべきデータビットの第２の数を決定することによって、およびエンコーダのセットにおける最後のエンコーダに第２の数のデータビットを提供することによって、第２の数のデータビットを分配するように構成されうる。別の構成では、処理システム５１０、符号化コンポーネント５２４、および／または分配コンポーネント５２６は、データビットの総数を決定することによって、エンコーダのサブセットに分配されたペイロードビットの総数を決定することによって、テイルビットの第１の数を決定することによって、ならびにデータビットの総数から、ペイロードビットの決定された総数、テイルビットの第１の数、およびテイルビットの第２の数を減算することによって、データビットの第２の数を決定するように構成されうる。
【００６６】
[0071]受信機５０５、処理システム５１０、符号化コンポーネント５２４、および／または送信機５１５は、図４のブロック４０５、４１０、４１５、４２０、４２５、４３０、４３５、および４４０に関して上で論じられた１つ以上の機能を行うように構成されうる。受信機５０５は受信機３１２に対応しうる。処理システム５１０はプロセッサ３０４に対応しうる。送信機５１５は送信機３１０に対応しうる。符号化コンポーネント５２４は符号化コンポーネント１２４、１２６および／または符号化コンポーネント３２４に対応しうる。
【００６７】
[0072]一構成では、ワイヤレス通信デバイス５００は、データフィールドにおけるシンボルの数を決定するための手段を含みうる。ワイヤレス通信デバイス５００は、シンボルの決定された数に基づいて、エンコーダのセットにおけるエンコーダのサブセット中の各エンコーダに第１の数のデータビットを分配するための手段を含みうる。ワイヤレス通信デバイス５００は、シンボルの決定された数に基づいて、エンコーダのセットにおける最後のエンコーダに第２の数のデータビットを分配するための手段を含みうる。ワイヤレス通信デバイス５００は、第２のワイヤレスデバイスにデータを送信するための手段を含みうる。データは、エンコーダのサブセットにおける各エンコーダへの分配された第１の数のデータビット、およびエンコーダのセットにおける最後のエンコーダへの分配された第２の数のデータビットに基づいて符号化されうる。ある態様では、シンボルの数は、ワイヤレスデバイスに割り振られたリソースブロックの総数に基づいて決定されうる。別の構成では、第１の数のデータビットを分配するための手段は、エンコーダのサブセットにおける各エンコーダに分配すべきデータビットの第１の数を決定し、エンコーダのサブセットにおける各エンコーダに第１の数のデータビットを提供するように構成されうる。別の態様では、データビットの第１の数は、エンコーダごとのデータレート、単一のサブキャリアごとのビットの数、データシンボル持続時間、または変調およびコーディングスキームレートのうちの少なくとも１つに基づいて決定されうる。別の構成では、第２の数のデータビットを分配するための手段は、エンコーダのセットにおける最後のエンコーダに分配すべきデータビットの第２の数を決定し、エンコーダのセットにおける最後のエンコーダに第２の数のデータビットを提供するように構成されうる。別の構成では、第２の数のデータビットを分配するための手段は、データビットの総数を決定し、エンコーダのサブセットに分配されたペイロードビットの総数を決定し、テイルビットの第１の数を決定し、データビットの総数から、ペイロードビットの決定された総数、テイルビットの第１の数、およびテイルビットの第２の数を減算するように構成される。別の態様では、不均等な数のビットは、ＷＬＡＮにおいてデータを送信するためのエンコーダのセット内で分配されうる。別の態様では、エンコーダのサブセットにおける各エンコーダに分配されたデータビットの第１の数および最後のエンコーダに分配されたデータビットの第２の数は、異なる。別の態様では、結果としてシンボルごとに整数の数のデータビットをもたらすＭＣＳレートを使用して、データは送信されうる。
【００６８】
[0073]例えば、データフィールドにおけるシンボルの数を決定するための手段は、処理システム５１０、符号化コンポーネント５２４、および／または分配コンポーネント５２６を備えうる。シンボルの決定された数に基づいて、エンコーダのセットにおけるエンコーダのサブセット中の各エンコーダに第１の数のデータビットを分配するための手段は、処理システム５１０、符号化コンポーネント５２４、および／または分配コンポーネント５２６を備えうる。シンボルの決定された数に基づいて、エンコーダのセットにおける最後のエンコーダに第２の数のデータビットを分配するための手段は、処理システム５１０、符号化コンポーネント５２４、および／または分配コンポーネント５２６を備えうる。エンコーダのサブセットにおける各エンコーダへの分配された第１の数のデータビット、およびエンコーダのセットにおける最後のエンコーダへの分配された第２の数のデータビットに基づいてデータが符号化される、第２のワイヤレスデバイスにデータを送信するための手段は、処理システム５１０、符号化コンポーネント５２４、および／または送信機５１５を備えうる。
【００６９】
[0074]図６は、エンコーダ解析のための不均等なビット分配をサポートする実例的なワイヤレス通信デバイス６００のブロック図である。ワイヤレス通信デバイス６００は処理システム６０５を含み得、それは、図５における処理システム５１０に類似しうる。処理システム６０５は、シンボルコンポーネント６１０、第１の分配コンポーネント６１５、第２の分配コンポーネント６２０、ならびに第１のエンコーダ６２５、第２のエンコーダ６３０、ＮＥＳ−１番目のエンコーダ６３５、およびＮＥＳ番目のエンコーダ６４０のような複数のエンコーダを含みうる。ある態様では、複数のエンコーダはＢＣＣエンコーダでありうる。
【００７０】
[0075]図６を参照すると、フレーム６４５は、プリアンブルおよびデータフィールドを含みうる。シンボルコンポーネント６１０は、上で論じられたような数式４に基づいて、データフィールドにおけるシンボルの数Ｎｓｙｍを計算するように構成されうる。データシンボルの計算された数に基づいて、第１の分配コンポーネント６１５は、第１のエンコーダ６２５、第２のエンコーダ６３０、およびＮＥＳ−１番目のエンコーダ６３５の各々に分配すべきデータビットの第１の数Ｎｐｌｄ，ｉを、数式６に基づいて決定するように構成されうる。同様に、データフィールドにおけるデータシンボルの計算された数に基づいて、第２の分配コンポーネント６２０は、複数のエンコーダの最後のエンコーダでありうるＮＥＳ番目のエンコーダ６４０に分配すべきデータビットの第２の数Ｎｐｌｄ，Ｎｅｓを、数式７または８に基づいて決定するように構成されうる。ある態様では、ビットは不均等に分配されうる。つまり、第１、第２、およびＮＥＳ−１番目のエンコーダ６２５、６３０、６３５は、同じ数のビットを受信しうるが、ＮＥＳ番目のエンコーダ６４０は、他のエンコーダとは異なる数のビットを受信しうる。テイルビットは、複数のエンコーダによるエンコーダ解析の後、データビットに付与されうる。
【００７１】
[0076]上で説明された方法の様々なオペレーションは、様々なハードウェア、および／またはソフトウェアコンポーネント（複数を含む）、回路、および／またはモジュール（複数を含む）のような、オペレーションを行う能力を有する、いずれの適した手段によっても行われうる。概して、図で例示されているいずれのオペレーションも、オペレーションを行う能力を有する対応する機能的手段によって行われうる。
【００７２】
[0077]本開示に関係して説明されている様々な例示的な論理ブロック、コンポーネント、および回路は、汎用プロセッサ、ＤＳＰ、特定用途向け集積回路（ＡＳＩＣ）、ＦＰＧＡまたは他のＰＬＤ、ディスクリートゲートまたはトランジスタ論理回路、ディスクリートハードウェアコンポーネント、あるいは本明細書で説明されている機能を行うように設計されたそれらのあらゆる組合せを用いて行われうる、またはインプリメントされうる。汎用プロセッサはマイクロプロセッサでありうるが、代わりとしてプロセッサは、いずれの商業的に利用可能なプロセッサ、コントローラ、マイクロコントローラ、またはステートマシンでもありうる。プロセッサはまた、コンピューティングデバイスの組合せ、例えばＤＳＰおよびマイクロプロセッサの組合せ、複数のマイクロプロセッサ、ＤＳＰコアと連結した１つ以上のマイクロプロセッサ、またはあらゆる他のそのような構成、としてインプリメントされうる。
【００７３】
[0078]１つ以上の態様では、説明されている機能は、ハードウェア、ソフトウェア、ファームウェア、またはそれらのいずれの組合せにおいてもインプリメントされうる。ソフトウェアにおいてインプリメントされる場合、機能は、コンピュータ可読媒体上で１つ以上の命令またはコードとして送信されうる、または記憶されうる。コンピュータ可読媒体は、１つの場所から別の場所へのコンピュータプログラムの転送を容易にするいずれの媒体も含む通信媒体およびコンピュータ記憶媒体の両方を含む。記憶媒体は、コンピュータによってアクセスされうるいずれの利用可能な媒体でもありうる。制限ではなく例として、そのようなコンピュータ可読媒体は、ＲＡＭ、ＲＯＭ、ＥＥＰＲＯＭ（登録商標）、コンパクトディスク（ＣＤ）ＲＯＭ（ＣＤ−ＲＯＭ）もしくは他の光ディスクストレージ、磁気ディスクストレージもしくは他の磁気記憶デバイス、または命令もしくはデータ構造の形態で所望のプログラムコードを搬送もしくは記憶するために使用されうる、およびコンピュータによってアクセスされうるあらゆる他の媒体を備えることができる。また、いかなる接続手段もコンピュータ可読媒体と適切に名付けられうる。例えば、ソフトウェアが、ウェブサイト、サーバ、または、同軸ケーブル、光ファイバケーブル、ツイストペア、デジタル加入者線（ＤＳＬ）、もしくは赤外線、無線、およびマイクロ波のようなワイヤレス技術を使用する他の遠隔ソースから送信される場合、同軸ケーブル、光ファイバケーブル、ツイストペア、ＤＳＬ、または赤外線、無線、およびマイクロ波のようなワイヤレス技術は、媒体の定義に含まれる。本明細書で使用される場合、ディスク（disk）およびディスク（disc)は、ＣＤ、レーザーディスク（登録商標）（laser disc）、光ディスク（optical disc）、デジタル多用途ディスク（ＤＶＤ:Digital versatile disc）、フロッピー（登録商標）ディスク(floppy disk)、およびブルーレイディスク(blu-ray disc)を含み、ここでディスク（disk）は大抵、磁気的にデータを再生する一方で、ディスク（disc）は、レーザを用いて光学的にデータを再生する。それゆえに、コンピュータ可読媒体は、非一時的なコンピュータ可読媒体（例えば、有体媒体）を備える。
【００７４】
[0079]本明細書で開示されている方法は、説明されている方法を達成するための１つ以上のステップまたはアクションを備える。方法ステップおよび／またはアクションは、請求項の範囲を逸脱することなく、互いに入れ替えられうる。言い換えれば、ステップまたはアクションの具体的な順序が指定されない限り、具体的なステップおよび／またはアクションの順序および／または使用は、請求項の範囲を逸脱することなく修正されうる。
【００７５】
[0080]それゆえに、ある特定の態様は、本明細書で提示されているオペレーションを行うためのコンピュータプログラム製品を備えうる。例えば、そのようなコンピュータプログラム製品は、命令を記憶した（および／または命令が符号化された）コンピュータ可読媒体を備え得、命令は、本明細書で説明されているオペレーションを行うように１つ以上のプロセッサによって実行可能である。ある特定の態様に関して、コンピュータプログラム製品は、パッケージ材料を含みうる。
【００７６】
[0081]さらに、本明細書で説明されている方法および技法を行うためのコンポーネントおよび／または他の適切な手段が、適用可能である場合、ユーザ端末および／または基地局によってダウンロードされうる、および／または別の方法で取得されうることは認識されるべきである。例えば、そのようなデバイスは、本明細書で説明されている方法を行うための手段の転送を容易にするためにサーバに結合されうる。代わりとして、本明細書で説明されている様々な方法が、記憶手段（例えば、ＲＡＭ、ＲＯＭ、ＣＤまたはフロッピーディスクのような物理記憶媒体、等）を介して、デバイスにその記憶手段を結合または提供する際にその様々な方法をユーザ端末、および／または基地局が取得することができるように提供されうる。さらに、本明細書で説明されている方法および技法をデバイスに提供するためのあらゆる他の適した技法が利用されうる。
【００７７】
[0082]請求項が、上で例示されたまさにその構成およびコンポーネントに限定されないことは理解されるものとする。請求項の範囲を逸脱することなく、上で説明された方法および装置の配列、オペレーション、および詳細において、様々な修正、変更、およびバリエーションがなされうる。様々な図が要素を点線で描写しうる。いくつかの事例では、点線で描写された要素は、オプションの特徴として考慮されうる。
【００７８】
[0083]前述(foregoing)が、本開示の態様を対象としている一方で、本開示の他の、およびさらなる態様が、その基本的範囲から逸脱することなく考案され得、その範囲は、以下に続く請求項によって決定される。
【００７９】
[0084]先の説明は、いずれの当業者も本明細書で説明されている様々な態様を実施できるようにするために提供されている。これらの態様に対する様々な修正が当業者には容易に明らかになり、本明細書で定義されている包括的な原則は他の態様に適用されうる。それゆえに、請求項は、本明細書で図示されている態様に限定されるようには意図されてないが、請求項の用語と一致した最大範囲を与えられるものとし、ここにおいて単数の要素への参照は、特にそのように述べられていない限り、「１つおよび唯一」ではなく、むしろ「１つ以上」を意味するように意図されている。特に別の方法で述べられていない限り、「いくつか」という用語は１つ以上を指す。当業者には既知である、または後に既知となる本開示全体を通して説明されている様々な態様の要素に対するすべての構造的および機能的な均等物が、参照によって本明細書に明示的に組み込まれており、請求項によって包含されるように意図されている。さらに、本明細書で開示されているどれも、そのような開示が請求項で明白に記載されているかどうかにかかわらず、公に寄与されるように意図されていない。どの請求項の要素も、その要素が「〜のための手段」というフレーズを使用して明示的に記載されていない限り、または、方法の請求項のケースでは、その要素が「〜するためのステップ」というフレーズを使用して記載されない限り、米国特許法第１１２条（ｆ）の規定の下に解釈されないものとする。
【図１】
2017538324.tif 000029
【図２】
2017538324.tif 000030
【図３】
2017538324.tif 000031
【図４】
2017538324.tif 000032
【図５】
2017538324.tif 000033
【図６】
2017538324.tif 000034
【手続補正書】
【提出日】平成29年7月5日(2017.7.5)
【手続補正１】
【補正対象書類名】特許請求の範囲
【補正対象項目名】全文
【補正方法】変更
【補正の内容】
【特許請求の範囲】
【請求項１】
ワイヤレスデバイスによるワイヤレス通信の方法であって、
データフィールドにおけるシンボルの数を決定することと、
シンボルの前記決定された数に基づいて、エンコーダのセットにおけるエンコーダのサブセット中の各エンコーダに第１の数のデータビットを分配することと、ここにおいて、エンコーダの前記サブセット中の各エンコーダは、同じ前記第１の数のデータビットを分配される、
シンボルの前記決定された数に基づいて、エンコーダの前記セットにおける最後のエンコーダに第２の数のデータビットを分配することと、
第２のワイヤレスデバイスにデータを送信することと、ここにおいて、前記データは、エンコーダの前記サブセットにおける各エンコーダへの前記分配された第１の数のデータビット、およびエンコーダの前記セットにおける前記最後のエンコーダへの前記分配された第２の数のデータビットに基づいて符号化される、
を備える、方法。
【請求項２】
シンボルの前記数は、前記ワイヤレスデバイスに割り振られたリソースブロックの総数に基づいて決定される、請求項１に記載の方法。
【請求項３】
前記第１の数のデータビットを前記分配することは、
エンコーダの前記サブセットにおける各エンコーダに分配すべきデータビットの前記第１の数を決定することと、
エンコーダの前記サブセットにおける各エンコーダに前記第１の数のデータビットを提供することと、
を備える、請求項１に記載の方法。
【請求項４】
前記第１の数のデータビットは、エンコーダごとのデータレート、単一のサブキャリアごとのビットの数、データシンボル持続時間、または変調およびコーディングスキームレートのうちの少なくとも１つに基づいて決定される、請求項３に記載の方法。
【請求項５】
前記第２の数のデータビットを前記分配することは、
エンコーダの前記セットにおける前記最後のエンコーダに分配すべきデータビットの前記第２の数を決定することと、
エンコーダの前記セットにおける前記最後のエンコーダに前記第２の数のデータビットを提供することと、
を備える、請求項１に記載の方法。
【請求項６】
データビットの前記第２の数を前記決定することは、
データビットの総数を決定することと、
エンコーダの前記サブセットに分配されたペイロードビットの総数を決定することと、
テイルビットの第１の数を決定することと、
データビットの前記総数から、ペイロードビットの前記決定された総数、テイルビットの前記第１の数、およびテイルビットの第２の数を減算することと、
を備える、請求項５に記載の方法。
【請求項７】
不均等な数のビットは、ワイヤレスローカルエリアネットワーク（ＷＬＡＮ）において前記データを送信するためのエンコーダの前記セット内で分配される、請求項１に記載の方法。
【請求項８】
エンコーダの前記サブセットにおける各エンコーダに分配されたデータビットの前記第１の数および前記最後のエンコーダに分配されたデータビットの前記第２の数は、異なる、請求項１に記載の方法。
【請求項９】
前記データは、結果としてシンボルごとに整数の数のデータビットをもたらす変調およびコーディングスキーム（ＭＣＳ）レートを使用して送信される、請求項１に記載の方法。
【請求項１０】
ワイヤレス通信のための装置であって、
メモリと、
前記メモリに結合された少なくとも１つのプロセッサとを備え、前記少なくとも１つのプロセッサは、
データフィールドにおけるシンボルの数を決定し、
シンボルの前記決定された数に基づいて、エンコーダのセットにおけるエンコーダのサブセット中の各エンコーダに第１の数のデータビットを分配し、ここにおいて、エンコーダの前記サブセット中の各エンコーダは、同じ前記第１の数のデータビットを分配される、
シンボルの前記決定された数に基づいて、エンコーダの前記セットにおける最後のエンコーダに第２の数のデータビットを分配し、
ワイヤレスデバイスにデータを送信する、ここにおいて、前記データは、エンコーダの前記サブセットにおける各エンコーダへの前記分配された第１の数のデータビット、およびエンコーダの前記セットにおける前記最後のエンコーダへの前記分配される第２の数のデータビットに基づいて符号化される、
ように構成される、装置。
【請求項１１】
シンボルの前記数は、前記装置に割り振られたリソースブロックの総数に基づいて決定される、請求項１０に記載の装置。
【請求項１２】
前記少なくとも１つのプロセッサは、
エンコーダの前記サブセットにおける各エンコーダに分配すべきデータビットの前記第１の数を決定することと、
エンコーダの前記サブセットにおける各エンコーダに前記第１の数のデータビットを提供することと、
によって、前記第１の数のデータビットを分配するように構成される、請求項１０に記載の装置。
【請求項１３】
データビットの前記第１の数は、エンコーダごとのデータレート、単一のサブキャリアごとのビットの数、データシンボル持続時間、または変調およびコーディングスキームレートのうちの少なくとも１つに基づいて決定される、請求項１２に記載の装置。
【請求項１４】
前記少なくとも１つのプロセッサは、
エンコーダの前記セットにおける前記最後のエンコーダに分配すべきデータビットの前記第２の数を決定することと、
エンコーダの前記セットにおける前記最後のエンコーダに前記第２の数のデータビットを提供することと、
によって、前記第２の数のデータビットを分配するように構成される、請求項１０に記載の装置。
【請求項１５】
前記少なくとも１つのプロセッサは、
データビットの総数を決定することと、
エンコーダの前記サブセットに分配されたペイロードビットの総数を決定することと、
テイルビットの第１の数を決定することと、
データビットの前記総数から、ペイロードビットの前記決定された総数、テイルビットの前記第１の数、およびテイルビットの第２の数を減算することと、
によって、前記第２の数のデータビットを分配するように構成される、請求項１４に記載の装置。
【請求項１６】
不均等な数のビットが、ワイヤレスローカルエリアネットワーク（ＷＬＡＮ）において前記データを送信するためにエンコーダの前記セット内で分配される、請求項１０に記載の装置。
【請求項１７】
エンコーダの前記サブセットにおける各エンコーダに分配されたデータビットの前記第１の数および前記最後のエンコーダに分配されたデータビットの前記第２の数は、異なる、請求項１０に記載の装置。
【請求項１８】
前記データは、結果としてシンボルごとに整数の数のデータビットをもたらす変調およびコーディングスキームレート（ＭＣＳ）レートを使用して送信される、請求項１０に記載の装置。
【請求項１９】
ワイヤレス通信のための装置であって、前記装置はワイヤレスデバイスであり、
データフィールドにおけるシンボルの数を決定するための手段と、
シンボルの前記決定された数に基づいて、エンコーダのセットにおけるエンコーダのサブセット中の各エンコーダに第１の数のデータビットを分配するための手段と、ここにおいて、エンコーダの前記サブセット中の各エンコーダは、同じ前記第１の数のデータビットを分配される、
シンボルの前記決定された数に基づいて、エンコーダの前記セットにおける最後のエンコーダに第２の数のデータビットを分配するための手段と、
第２のワイヤレスデバイスにデータを送信するための手段と、ここにおいて、前記データは、エンコーダの前記サブセットにおける各エンコーダへの前記分配された第１の数のデータビット、およびエンコーダの前記セットにおける前記最後のエンコーダへの前記分配された第２の数のデータビットに基づいて符号化される、
を備える、装置。
【請求項２０】
シンボルの前記数は、前記ワイヤレスデバイスに割り振られたリソースブロックの総数に基づいて決定される、請求項１９に記載の装置。
【請求項２１】
前記第１の数のデータビットを分配するための前記手段は、
エンコーダの前記サブセットにおける各エンコーダに分配すべきデータビットの前記第１の数を決定し、
エンコーダの前記サブセットにおける各エンコーダに前記第１の数のデータビットを提供する、
ように構成される、請求項１９に記載の装置。
【請求項２２】
データビットの前記第１の数は、エンコーダごとのデータレート、単一のサブキャリアごとのビットの数、データシンボル持続時間、または変調およびコーディングスキームレートのうちの少なくとも１つに基づいて決定される、請求項２１に記載の装置。
【請求項２３】
前記第２の数のデータビットを分配するための前記手段は、
エンコーダの前記セットにおける前記最後のエンコーダに分配すべきデータビットの前記第２の数を決定し、
エンコーダの前記セットにおける前記最後のエンコーダに前記第２の数のデータビットを提供する、
ように構成される、請求項１９に記載の装置。
【請求項２４】
前記第２の数のデータビットを分配するための前記手段は、
データビットの総数を決定することと、
エンコーダの前記サブセットに分配されたペイロードビットの総数を決定することと、
テイルビットの第１の数を決定することと、
データビットの前記総数から、ペイロードビットの前記決定された総数、テイルビットの前記第１の数、およびテイルビットの第２の数を減算することと、
によって、データビットの前記第２の数を決定するように構成される、請求項２３に記載の装置。
【請求項２５】
不均等な数のビットが、ワイヤレスローカルエリアネットワーク（ＷＬＡＮ）において前記データを送信するためにエンコーダの前記セット内で分配される、請求項１９に記載の装置。
【請求項２６】
エンコーダの前記サブセットにおける各エンコーダに分配されたデータビットの前記第１の数および前記最後のエンコーダに分配されたデータビットの前記第２の数は、異なる、請求項１９に記載の装置。
【請求項２７】
前記データは、結果としてシンボルごとの整数の数のデータビットをもたらす変調およびコーディングスキーム（ＭＣＳ）レートを使用して送信される、請求項１９に記載の装置。
【請求項２８】
ワイヤレスデバイスによるワイヤレス通信のためのコンピュータ実行可能コードを記憶するコンピュータ可読媒体であって、
データフィールドにおけるシンボルの数を決定することと、
シンボルの前記決定された数に基づいて、エンコーダのセットにおけるエンコーダのサブセット中の各エンコーダに第１の数のデータビットを分配することと、ここにおいて、エンコーダの前記サブセット中の各エンコーダは、同じ前記第１の数のデータビットを分配される、
シンボルの前記決定された数に基づいて、エンコーダの前記セットにおける最後のエンコーダに第２の数のデータビットを分配することと、
第２のワイヤレスデバイスにデータを送信することと、ここにおいて前記データは、エンコーダの前記サブセットにおける各エンコーダへの前記分配された第１の数のデータビット、およびエンコーダの前記セットにおける前記最後のエンコーダへの前記分配された第２の数のデータビットに基づいて符号化される、
のためのコードを備える、コンピュータ可読媒体。
【手続補正２】
【補正対象書類名】明細書
【補正対象項目名】００７９
【補正方法】変更
【補正の内容】
【００７９】
[0084]先の説明は、いずれの当業者も本明細書で説明されている様々な態様を実施できるようにするために提供されている。これらの態様に対する様々な修正が当業者には容易に明らかになり、本明細書で定義されている包括的な原則は他の態様に適用されうる。それゆえに、請求項は、本明細書で図示されている態様に限定されるようには意図されてないが、請求項の用語と一致した最大範囲を与えられるものとし、ここにおいて単数の要素への参照は、特にそのように述べられていない限り、「１つおよび唯一」ではなく、むしろ「１つ以上」を意味するように意図されている。特に別の方法で述べられていない限り、「いくつか」という用語は１つ以上を指す。当業者には既知である、または後に既知となる本開示全体を通して説明されている様々な態様の要素に対するすべての構造的および機能的な均等物が、参照によって本明細書に明示的に組み込まれており、請求項によって包含されるように意図されている。さらに、本明細書で開示されているどれも、そのような開示が請求項で明白に記載されているかどうかにかかわらず、公に寄与されるように意図されていない。どの請求項の要素も、その要素が「〜のための手段」というフレーズを使用して明示的に記載されていない限り、または、方法の請求項のケースでは、その要素が「〜するためのステップ」というフレーズを使用して記載されない限り、米国特許法第１１２条（ｆ）の規定の下に解釈されないものとする。
以下に本願の出願当初の特許請求の範囲に記載された発明を付記する。
［Ｃ１］
ワイヤレスデバイスによるワイヤレス通信の方法であって、
データフィールドにおけるシンボルの数を決定することと、
シンボルの前記決定された数に基づいて、エンコーダのセットにおけるエンコーダのサブセット中の各エンコーダに第１の数のデータビットを分配することと、
シンボルの前記決定された数に基づいて、エンコーダの前記セットにおける最後のエンコーダに第２の数のデータビットを分配することと、
第２のワイヤレスデバイスにデータを送信すること、ここにおいて、前記データは、エンコーダの前記サブセットにおける各エンコーダへの前記分配された第１の数のデータビットおよびエンコーダの前記セットにおける前記最後のエンコーダへの前記分配された第２の数のデータビットに基づいて符号化される、
を備える、方法。
［Ｃ２］
シンボルの前記数は、前記ワイヤレスデバイスに割り振られたリソースブロックの総数に基づいて決定される、Ｃ１に記載の方法。
［Ｃ３］
前記第１の数のデータビットを前記分配することは、
エンコーダの前記サブセットにおける各エンコーダに分配すべき前記第１の数のデータビットを決定することと、
エンコーダの前記サブセットにおける各エンコーダに前記第１の数のデータビットを提供することと、
を備える、Ｃ１に記載の方法。
［Ｃ４］
前記第１の数のデータビットは、エンコーダごとのデータレート、単一のサブキャリアごとのビットの数、データシンボル持続時間、または変調およびコーディングスキームレートのうちの少なくとも１つに基づいて決定される、Ｃ３に記載の方法。
［Ｃ５］
前記第２の数のデータビットを前記分配することは、
エンコーダの前記セットにおける前記最後のエンコーダに分配すべきデータビットの前記第２の数を決定することと、
エンコーダの前記セットにおける前記最後のエンコーダに前記第２の数のデータビットを提供することと、
を備える、Ｃ１に記載の方法。
［Ｃ６］
データビットの前記第２の数を前記決定することは、
データビットの総数を決定することと、
エンコーダの前記サブセットに分配されたペイロードビットの総数を決定することと、
テイルビットの第１の数を決定することと、
データビットの前記総数から、ペイロードビットの前記決定された総数、テイルビットの前記第１の数、およびテイルビットの第２の数を減算することと、
を備える、Ｃ５に記載の方法。
［Ｃ７］
不均等な数のビットは、ワイヤレスローカルエリアネットワーク（ＷＬＡＮ）において前記データを送信するためのエンコーダの前記セット内で分配される、Ｃ１に記載の方法。
［Ｃ８］
エンコーダの前記サブセットにおける各エンコーダに分配されたデータビットの前記第１の数および前記最後のエンコーダに分配されたデータビットの前記第２の数は、異なる、Ｃ１に記載の方法。
［Ｃ９］
前記データは、結果としてシンボルごとに整数の数のデータビットをもたらす変調およびコーディングスキーム（ＭＣＳ）レートを使用して送信される、Ｃ１に記載の方法。
［Ｃ１０］
ワイヤレス通信のための装置であって、
メモリと、
前記メモリに結合された少なくとも１つのプロセッサとを備え、前記少なくとも１つのプロセッサは、
データフィールドにおけるシンボルの数を決定し、
シンボルの前記決定された数に基づいて、複数のエンコーダの第１のエンコーダに第１の数のデータビットを分配し、
シンボルの前記決定された数に基づいて、前記複数のエンコーダの第２のエンコーダに前記第１の数のデータビットを分配し、
シンボルの前記決定された数に基づいて、前記複数のエンコーダの最後のエンコーダに第２の数のデータビットを分配し、
ワイヤレスデバイスにデータを送信する、ここにおいて前記データは、前記第１および第２のエンコーダへの前記分配された第１の数のデータビット、および前記最後のエンコーダへの前記分配された第２の数のデータビットに基づいて符号化される、
ように構成される、装置。
［Ｃ１１］
シンボルの前記数は、前記装置に割り振られたリソースブロックの総数に基づいて決定される、Ｃ１０に記載の装置。
［Ｃ１２］
前記少なくとも１つのプロセッサは、
前記第１のエンコーダおよび前記第２のエンコーダに分配すべきデータビットの前記第１の数を決定することと、
前記第１のエンコーダおよび前記第２のエンコーダに前記第１の数のデータビットを提供することと、
によって、前記第１の数のデータビットを分配する、Ｃ１０に記載の装置。
［Ｃ１３］
データビットの前記第１の数は、エンコーダごとのデータレート、単一のサブキャリアごとのビットの数、データシンボル持続時間、または変調およびコーディングスキームレートのうちの少なくとも１つに基づいて決定される、Ｃ１２に記載の装置。
［Ｃ１４］
前記少なくとも１つのプロセッサは、
前記最後のエンコーダに分配すべきデータビットの前記第２の数を決定することと、
前記最後のエンコーダに前記第２の数のデータビットを提供することと、
によって、前記第２の数のデータビットを分配するように構成される、Ｃ１０に記載の装置。
［Ｃ１５］
データビットの前記第２の数を決定するために、前記少なくとも１つのプロセッサは、
データビットの総数を決定し、
前記第１および前記第２のエンコーダに分配されるペイロードビットの総数を決定し、
テイルビットの第１の数を決定し、
データビットの前記総数から、ペイロードビットの前記決定された総数、テイルビットの前記第１の数、およびテイルビットの第２の数を減算する、
ように構成される、Ｃ１４に記載の装置。
［Ｃ１６］
ワイヤレス通信のための装置であって、
メモリと、
前記メモリに結合された少なくとも１つのプロセッサとを備え、前記少なくとも１つのプロセッサは、
データフィールドにおけるシンボルの数を決定し、
シンボルの前記決定された数に基づいて、エンコーダのセットにおけるエンコーダのサブセット中の各エンコーダに第１の数のデータビットを分配し、
シンボルの前記決定された数に基づいて、エンコーダの前記セットにおける最後のエンコーダに第２の数のデータビットを分配し、
ワイヤレスデバイスにデータを送信する、ここにおいて前記データは、エンコーダの前記サブセットにおける各エンコーダへの前記分配された第１の数のデータビット、およびエンコーダの前記セットにおける前記最後のエンコーダへの前記分配される第２の数のデータビットに基づいて符号化される、
ように構成される、装置。
［Ｃ１７］
シンボルの前記数は、前記装置に割り振られたリソースブロックの総数に基づいて決定される、Ｃ１６に記載の装置。
［Ｃ１８］
前記少なくとも１つのプロセッサは、
エンコーダの前記サブセットにおける各エンコーダに分配すべきデータビットの前記第１の数を決定することと、
エンコーダの前記サブセットにおける各エンコーダに前記第１の数のデータビットを提供することと、
によって、前記第１の数のデータビットを分配するように構成される、Ｃ１６に記載の装置。
［Ｃ１９］
データビットの前記第１の数は、エンコーダごとのデータレート、単一のサブキャリアごとのビットの数、データシンボル持続時間、または変調およびコーディングスキームレートのうちの少なくとも１つに基づいて決定される、Ｃ１８に記載の装置。
［Ｃ２０］
前記少なくとも１つのプロセッサは、
エンコーダの前記セットにおける前記最後のエンコーダに分配すべきデータビットの前記第２の数を決定することと、
エンコーダの前記セットにおける前記最後のエンコーダに前記第２の数のデータビットを提供することと、
によって、前記第２の数のデータビットを分配するように構成される、Ｃ１６に記載の装置。
［Ｃ２１］
前記少なくとも１つのプロセッサは、
データビットの総数を決定することと、
エンコーダの前記サブセットに分配されるペイロードビットの総数を決定することと、
テイルビットの第１の数を決定することと、
データビットの前記総数から、ペイロードビットの前記決定された総数、テイルビットの前記第１の数、およびテイルビットの第２の数を減算することと、
によって、前記第２の数のデータビットを分配するように構成される、Ｃ２０に記載の装置。
［Ｃ２２］
不均等な数のビットが、ワイヤレスローカルエリアネットワーク（ＷＬＡＮ）において前記データを送信するためにエンコーダの前記セット内で分配される、Ｃ１６に記載の装置。
［Ｃ２３］
エンコーダの前記サブセットにおける各エンコーダに分配されたデータビットの前記第１の数および前記最後のエンコーダに分配されたデータビットの前記第２の数は、異なる、Ｃ１６に記載の装置。
［Ｃ２４］
前記データは、結果としてシンボルごとに整数の数のデータビットをもたらす変調およびコーディングスキームレート（ＭＣＳ）レートを使用して送信される、Ｃ１６に記載の装置。
［Ｃ２５］
ワイヤレス通信のための装置であって、前記装置はワイヤレスデバイスであり、
データフィールドにおけるシンボルの数を決定するための手段と、
シンボルの前記決定された数に基づいて、エンコーダのセットにおけるエンコーダのサブセット中の各エンコーダに第１の数のデータビットを分配するための手段と、
シンボルの前記決定された数に基づいて、エンコーダの前記セットにおける最後のエンコーダに第２の数のデータビットを分配するための手段と、
第２のワイヤレスデバイスにデータを送信する手段と、ここにおいて前記データは、エンコーダの前記サブセットにおける各エンコーダへの前記分配された第１の数のデータビット、およびエンコーダの前記セットにおける前記最後のエンコーダへの前記分配された第２の数のデータビットに基づいて符号化される、
を備える、装置。
［Ｃ２６］
シンボルの前記数は、前記ワイヤレスデバイスに割り振られたリソースブロックの総数に基づいて決定される、Ｃ２５に記載の装置。
［Ｃ２７］
前記第１の数のデータビットを分配するための前記手段は、
エンコーダの前記サブセットにおける各エンコーダに分配すべきデータビットの前記第１の数を決定し、
エンコーダの前記サブセットにおける各エンコーダに前記第１の数のデータビットを提供する、
ように構成される、Ｃ２５に記載の装置。
［Ｃ２８］
データビットの前記第１の数は、エンコーダごとのデータレート、単一のサブキャリアごとのビットの数、データシンボル持続時間、または変調およびコーディングスキームレートのうちの少なくとも１つに基づいて決定される、Ｃ２７に記載の装置。
［Ｃ２９］
前記第２の数のデータビットを分配するための前記手段は、
エンコーダの前記セットにおける前記最後のエンコーダに分配すべきデータビットの前記第２の数を決定し、
エンコーダの前記セットにおける前記最後のエンコーダに前記第２の数のデータビットを提供する、
ように構成される、Ｃ２５に記載の装置。
［Ｃ３０］
前記第２の数のデータビットを分配するための前記手段は、
データビットの総数を決定することと、
エンコーダの前記サブセットに分配されたペイロードビットの総数を決定することと、
テイルビットの第１の数を決定することと、
データビットの前記総数から、ペイロードビットの前記決定された総数、テイルビットの前記第１の数、およびテイルビットの第２の数を減算することと、
によって、データビットの前記第２の数を決定するように構成される、Ｃ２９に記載の装置。
［Ｃ３１］
不均等な数のビットが、ワイヤレスローカルエリアネットワーク（ＷＬＡＮ）において前記データを送信するためにエンコーダの前記セット内で分配される、Ｃ２５に記載の装置。
［Ｃ３２］
エンコーダの前記サブセットにおける各エンコーダに分配されたデータビットの前記第１の数および前記最後のエンコーダに分配されたデータビットの前記第２の数は、異なる、Ｃ２５に記載の装置。
［Ｃ３３］
前記データは、結果としてシンボルごとの整数の数のデータビットをもたらす変調およびコーディングスキーム（ＭＣＳ）レートを使用して送信される、Ｃ２５に記載の装置。
［Ｃ３４］
ワイヤレスデバイスによるワイヤレス通信のためのコンピュータ実行可能コードを記憶するコンピュータ可読媒体であって、
データフィールドにおけるシンボルの数を決定することと、
シンボルの前記決定された数に基づいて、エンコーダのセットにおけるエンコーダのサブセット中の各エンコーダに第１の数のデータビットを分配することと、
シンボルの前記決定された数に基づいて、エンコーダの前記セットにおける最後のエンコーダに第２の数のデータビットを分配することと、
第２のワイヤレスデバイスにデータを送信することと、ここにおいて前記データは、エンコーダの前記サブセットにおける各エンコーダへの前記分配された第１の数のデータビット、およびエンコーダの前記セットにおける前記最後のエンコーダへの前記分配された第２の数のデータビットに基づいて符号化される、
のためのコードを備える、コンピュータ可読媒体。
【国際調査報告】
2017538324.tif 000035
2017538324.tif 000036